(57)【要約】  無線通信ネットワークにおける通信のためのデバイスおよび方法である。発明は、第１の通信リソースを使用して基地局１０５から設定情報を受信することであって、設定情報は、（ａ）基地局（１０５）であって、設定情報が、ＳＲおよび／またはプライオリティ設定を含む、基地局（１０５）および／または（ｂ）さらなるユーザ機器（１０３）であって、設定情報が、ＢＷＰ設定、リソースプール設定、ＱＣＬ設定、ＨＡＲＱ設定、プリエンプション設定、グラント設定、アクティブ化設定、解放設定のうちの少なくとも１つを含む、さらなるユーザ機器（１０３）との通信のための第２の通信リソースを使用して、ユーザ機器（１０１）の通信設定を定義する、受信することを行うように構成されているユーザ機器（１０１）に関する。さらに、本発明は、対応する基地局（１０５）に関する。
2022500960.tif 000002
【特許請求の範囲】
【請求項１】
ユーザ機器（１０１）であって、
第１の通信リソースを使用して基地局（１０５）から設定情報を受信することであって、前記設定情報は、
（ａ）前記基地局（１０５）であって、前記設定情報が、スケジューリング要求ＳＲ、および／またはプライオリティ設定を含む、前記基地局（１０５）、および／または
（ｂ）さらなるユーザ機器（１０３）であって、前記設定情報が、時間ドメインリソース設定、帯域幅部分ＢＷＰ設定、リソースプール設定、繰り返し設定、準同一位置ＱＣＬ設定、ＨＡＲＱ設定、プリエンプション設定、グラント設定、アクティブ化設定、解放設定のうちの少なくとも１つを含む、さらなるユーザ機器（１０３）、
と通信するために第２の通信リソースを使用した前記ユーザ機器（１０１）の通信設定を定義する、受信することを行うように構成されているユーザ機器（１０１）。
【請求項２】
前記基地局（１０５）から受信した前記通信設定は、リンク使用法、ターゲットＢＬＥＲおよび／またはＭＣＳテーブルの範囲／値、レイテンシおよび／またはＴＴＩおよび／またはサブキャリア間隔ＳＣＳの範囲または値、信頼性範囲または値、可用性範囲または値、バッファステータス範囲または値のうちの１つ以上を含む通信パラメータのセッティングを含む、請求項１に記載のユーザ機器（１０１）。
【請求項３】
前記ユーザ機器（１０１）は、前記ＳＲおよび／または前記基地局（１０５）から受信したプライオリティ設定情報に基づいて、スケジューリング要求ＳＲメッセージを前記基地局（１０５）に送信するように構成されている、請求項１または２に記載のユーザ機器（１０１）。
【請求項４】
前記ユーザ機器（１０１）は、特に、ビットシーケンスとして、および／または前記ＳＲメッセージを基地局（１０５）に送信するための複数の第３の通信リソースのうちの１つ以上の第３の通信リソースを使用して、前記ＳＲメッセージ内の前記通信パラメータを符号化するように構成されている、請求項２または３に記載のユーザ機器（１０１）。
【請求項５】
前記ユーザ機器（１０１）は、前記基地局（１０５）から、符号化スキームおよび／または前記通信パラメータと前記ビットシーケンスおよび／または前記第３の通信リソースとの間の対応関係を受信することと、前記基地局（１０５）によって提供される前記符号化スキームおよび／または前記対応関係に基づいて、前記ＳＲメッセージ内の前記通信パラメータを符号化することと、を行うように構成されている、請求項１〜４のうちの一項に記載のユーザ機器（１０１）。
【請求項６】
前記設定情報は、前記さらなるユーザ機器（１０３）と通信するために前記第２の通信リソースを使用した前記ユーザ機器（１０１）の前記通信設定を定義し、前記設定情報は、時間ドメインリソース設定、サイドリンクＳＬ  ＢＷＰ、リソースプール、ＴＣＩ／ＱＣＬ仮定、繰り返し数、Ｕｕリンクおよび／または別のサイドリンクおよび／または逆方向のサイドリンクにおけるＳＬデータのためのＨＡＲＱフィードバックリソースおよび／またはＳＬチャネルのためのＣＳＩフィードバックリソース、および／またはＳＬにおけるコードブロックＣＢおよび／またはコードブロックグループＣＢＧ設定のうちの１つ以上を含む、先行する請求項のいずれか一項に記載のユーザ機器（１０１）。
【請求項７】
前記ユーザ機器（１０１）は、さらに、第４の通信リソースを使用して前記さらなるユーザ機器（１０３）と通信するように構成されており、前記ユーザ機器（１０１）は、前記プリエンプション設定に基づいて前記第４の通信リソースをプリエンプションすること、および／または前記さらなるユーザ機器（１０３）と通信するために前記第２の通信リソースを使用することと、を行うように構成されている、先行する請求項のいずれか一項に記載のユーザ機器（１０１）。
【請求項８】
前記プリエンプション設定は、ＳＬプリエンプションが有効か無効かに関する情報、プリエンプションされたＳＬリソースのうちの１つ以上、プリエンプションのための１つ以上のＳＬリソース、前記プリエンプションされたリソースにおけるＳＬ制御および／またはデータ設定、ＳＬプリエンプション要求設定、および／またはＳＬプリエンプション報告設定のうちの１つ以上を含む、請求項７に記載のユーザ機器（１０１）。
【請求項９】
前記ユーザ機器（１０１）によって受信される前記通信設定は、
前記第２の通信リソースにおいて、および／または前記第２のＳＬにおいて送信される第２の設定済グラントの前記設定のために、第１のリソースにおいて、または第１のＳＬにおいて、および／または第１のＵｕリンクにおいて送信される設定済グラント、
前記第２の通信リソースにおいて、および／または前記第２のＳＬにおいて送信される第２の設定済ＲＲＣグラントおよび／または第２の設定済ＰＤＣＣＨグラントの前記設定のために、第１のリソースにおいて、および／または第１のＵｕリンクにおいて送信される設定済ＲＲＣグラント、
第１のグラントおよび／または第１の設定済グラントを伴う前記第２の設定済グラントのアクティブ化および／または解放、
前記第１の通信リソースにおいて、および／または前記Ｕｕリンクにおいて、および／または前記第１のＳＬにおいて送信される前記第１のグラントと、前記第２のグラントのアクティブ化または解放のための前記第２のリソースにおいて、および／または前記第２のＳＬにおいて送信される前記第２のグラントとの間のタイミング、
前記第２の通信リソースおよび／または前記第２のＳＬ送信および／または受信のために、前記第１の通信リソースにおいて、および／またはＵｕリンクにおいて、および／または前記第１のＳＬにおいて送信される前記第１のグラントに基づいた設定済ＰＤＣＣＨグラントのアクティブ化および／または解放、
前記第２のＳＬにおける設定済グラントのスケジューリングデータ送信に対して、別のＵｕリンクおよび／または前記第３のＳＬにおける、および／または前記逆方向のＳＬにおけるＨＡＲＱフィードバックリソース、
のうちの１つ以上を含む、先行する請求項のいずれか一項に記載のユーザ機器（１０１）。
【請求項１０】
基地局（１０５）であって、
第１の通信リソースを使用してユーザ機器（１０１）に設定情報を送信することであって、前記設定情報は、
（ａ）前記基地局（１０５）であって、前記設定情報が、ＳＲ、および／またはプライオリティ設定を含む、前記基地局（１０５）、および／または
（ｂ）さらなるユーザ機器（１０３）であって、前記設定情報が、時間ドメインリソース設定、ＢＷＰ設定、リソースプール設定、繰り返し設定、ＱＣＬ設定、ＨＡＲＱ設定、プリエンプション設定、グラント設定、アクティブ化設定、解放設定のうちの少なくとも１つを含む、さらなるユーザ機器（１０３）、
と通信するために、第２の通信リソースを使用した前記ユーザ機器（１０１）の通信設定を定義する、送信することを行うように構成されている基地局（１０５）。
【請求項１１】
前記ユーザ機器（１０１）に送信した前記通信設定は、リンク使用法、ターゲットＢＬＥＲおよび／またはＭＣＳテーブルの範囲および／または値、レイテンシおよび／またはＴＴＩおよび／またはＳＣＳ範囲または値、信頼性範囲または値、可用性範囲または値、バッファステータス範囲または値のうちの１つ以上を含む通信パラメータのセッティングを含む、請求項１０に記載の基地局（１０５）。
【請求項１２】
前記基地局（１０５）は、前記ＳＲおよび／または前記ユーザ機器（１０１）に送信したプライオリティ設定情報に基づいて、スケジューリング要求ＳＲメッセージを前記ユーザ機器（１０１）から受信するように構成されている、請求項１０または１１に記載の基地局（１０５）。
【請求項１３】
前記基地局（１０５）は、さらに、特に、前記ＳＲメッセージ内に含まれるビットシーケンス、および／または前記ユーザ機器（１０１）からの前記ＳＲメッセージを受信するために使用される複数の第３の通信リソースのうちの１つ以上の第３の通信リソースに基づいて、前記ＳＲメッセージ内の前記通信パラメータを復号するように構成されている、請求項１０〜１２のうちの一項に記載の基地局（１０５）。
【請求項１４】
前記基地局（１０５）は、前記ユーザ機器（１０１）に、符号化スキームおよび／または前記通信パラメータと前記ビットシーケンスおよび／または前記第３の通信リソースとの間の対応関係を提供して、前記ユーザ機器（１０１）が前記符号化スキームおよび／または前記対応関係に基づいて、前記ＳＲメッセージ内の前記通信パラメータを符号化することを可能にするように構成されている、請求項１３に記載の基地局（１０５）。
【請求項１５】
前記設定情報は、前記さらなるユーザ機器（１０３）と通信するために前記第２の通信リソースを使用した前記ユーザ機器（１０１）の前記通信設定を定義し、前記設定情報は、時間ドメインリソース設定、ＳＬ  ＢＷＰ、リソースプール、ＴＣＩ／ＱＣＬ仮定、繰り返し数、Ｕｕリンクおよび／または別のサイドリンクおよび／または逆方向のサイドリンクにおけるＳＬデータのためのＨＡＲＱフィードバックリソースおよび／またはＳＬチャネルのためのＣＳＩフィードバックリソース、および／またはＳＬにおけるＣＢおよび／またはＣＢＧ設定のうちの１つ以上を含む、請求項１０〜１４のいずれか一項に記載の基地局（１０５）。
【請求項１６】
前記ユーザ機器（１０１）は、さらに、第４の通信リソースを使用して前記さらなるユーザ機器（１０３）と通信するように構成されており、前記ユーザ機器（１０１）は、前記プリエンプション設定に基づいて前記第４の通信リソースをプリエンプションすること、および／または前記さらなるユーザ機器（１０３）と通信するために前記第２の通信リソースを使用することと、を行うように構成されている、請求項１０〜１５のいずれか一項に記載の基地局（１０５）。
【請求項１７】
前記プリエンプション設定は、ＳＬプリエンプションが有効か無効かに関する情報、プリエンプションされたＳＬリソースのうちの１つ以上、プリエンプションのための１つ以上のＳＬリソース、前記プリエンプションされたリソースにおけるＳＬ制御および／またはデータ設定、ＳＬプリエンプション要求設定、および／またはＳＬプリエンプション報告設定のうちの１つ以上を含む、請求項１６に記載の基地局（１０５）。
【請求項１８】
前記基地局（１０５）によって送信される前記通信設定は、
前記第２の通信リソースにおいて、および／または前記第２のＳＬにおいて送信される第２の設定済グラントの前記設定のために、第１のリソースにおいて、および／または第１のＳＬにおいて送信される設定済グラント、
前記第２の通信リソースにおいて、および／または前記第２のＳＬにおいて送信される第２の設定済ＲＲＣグラントおよび／または第２の設定済ＰＤＣＣＨグラントの前記設定のために、第１のＳＬにおいて送信される設定済ＲＲＣグラント、
第１のグラントおよび／または第１の設定済グラントを伴う前記第２の設定済グラントのアクティブ化および／または解放、
前記第１の通信リソースにおいて、および／または前記Ｕｕリンクにおいて、および／または前記第１のＳＬにおいて送信される前記第１のグラントと、前記第２のグラントのアクティブ化および／または解放のための前記第２のリソースにおいて、および／または前記第２のＳＬにおいて送信される前記第２のグラントとの間のタイミング、
前記第２の通信リソースおよび／または前記第２のＳＬ送信および／または受信のために、前記第１の通信リソースにおいて、および／またはＵｕリンクにおいて、および／または前記第１のＳＬにおいて送信される前記第１のグラントに基づいた設定済ＰＤＣＣＨグラントのアクティブ化および／または解放、
前記第２のＳＬにおける設定済グラントのスケジューリングデータ送信に対して、別のＵｕリンクおよび／または前記第３のＳＬにおける、および／または前記逆方向のＳＬにおけるＨＡＲＱフィードバックリソース、
のうちの１つ以上を含む、請求項１０〜１７のいずれか一項に記載の基地局（１０５）。
【発明の詳細な説明】
【技術分野】
【０００１】
一般に、本発明は、無線通信ネットワークに関する。より具体的には、本発明は、無線通信ネットワークにおける通信のためのデバイスおよび方法に関する。
【背景技術】
【０００２】
車両安全性、交通管理、および自動運転に対する様々なレベルの支援に対する需要の増大をサポートするために、有能なＶ２Ｘ（ビークル・ツー・ビークル、ビークル・ツー・インフラストラクチャ、ビークル・ツー・ネットワーク、ビークル・ツー・ペデストリアン）またはＣ−ＩＴＳ（セルラー高度道路交通システム）通信システムが必要とされている。また、インダストリー自動化またはインダストリー４．０をサポートするために無線通信が導入される必要性もある。Ｖ２Ｘとインダストリー４．０の両方で、低遅延で高信頼のトラフィック送信が必要である。この目的のためには、いくつかの技術的問題を解決する必要がある。
【０００３】
現在のＮＲ  Ｒｅｌ１５  ＵｕベースのＵＲＬＬＣ（超高信頼低遅延通信）送信は、以下の方法でサポートされています。
【０００４】
Ｕｕ下りリンク（ＤＬ）の場合、ＵＥ（ユーザ機器）内またはＵＥ間に対する可能性としてある同時送信干渉を低減するためのグループ共通ＤＣＩフォーマット２＿１を備えたプリエンプションされた送信シグナリング、および再送信組み合わせのための汚染されたＵＥ内またはＵＥ間のＣＢＧを回避するためのＤＣＩフォーマット１＿１に対するＣＢＧＦを備えたＣＢＧベースの再送信を含め、ＵＲＬＬＣと拡張モバイルブロードバンド（ｅＭＢＢ）間のチャネルダイナミック多重化が提案されている。
【０００５】
Ｕｕ上りリンク（ＵＬ）送信の場合、グラントまたは設定されたＵＬグラントなしで、低遅延トラフィック、例えば、ＵＲＬＬＣまたは周期的送信をサポートすることが提案されている。設定済グラントは、タイプ１とタイプ２を含む。タイプ１の場合、ＵＬリソースはレイヤ１（Ｌ１）アクティブ化なしで無線リソース制御（ＲＲＣ）において設定される。設定を受信したＵＥは、新しい設定を受信しない限り、設定に従ってＵＬデータ、例えばＵＲＬＬＣデータを送信することができる。タイプ２の場合、ＵＬリソースは、Ｌ１シグナリングによって設定またはアクティブ化され（ＲＲＣも、いくつかのパラメータ設定に使用できる）、Ｌ１シグナリングは、送信前に必要とされる。Ｌ１シグナリングは通常ＰＤＣＣＨである。コンフィグレーションを受信したＵＥは、新しいコンフィグレーションを受信しない限り、コンフィグレーションに従ってＵＲＬＬＣデータなどのＵＬデータを送信することができます。
【０００６】
Ｕｕ  ＵＬの場合、レイテンシを低減するために、最適化スケジューリングリクエスト（ＳＲ）送信が提案されている。ＳＲ設定は、異なるＢＷＰおよびセルを横断するＳＲのためのＰＵＣＣＨリソースのセットからなる。論理チャネルの場合、ＳＲのためのせいぜい１つのＰＵＣＣＨリソースが、ＢＷＰごとに設定される。論理チャネル、サブキャリア間隔、ＳＲ  ＩＤ、ＳＲリソース構成ＩＤ、ＰＵＣＣＨ  ＩＤ間にマッピングがある。
【０００７】
しかし、上記の提案は、ＵｕベースのＵＲＬＬＣとｅＭＢＢ送信のみをサポートする。サイドリンク（ＳＬ）  ＵＲＬＬＣおよびｅＭＢＢ送信、特に低遅延ＵＲＬＬＣトラフィックをサポートするための解決策は知られていない。特に、ＳＲ送信において、ＵＲＬＬＣおよび／またはＳＬの要件を反映させる方法、グラントベースのＳＬ送信およびフィードバックをサポートする方法、ＳＬにおいて進行中のｅＭＢＢトラフィックがあるときにＵＲＬＬＣをサポートする方法、および／または低遅延ＳＬ  ＵＲＬＬＣ送信を可能にするためにＳＬ設定済グラント送信を行う方法のための解決策がない。
【０００８】
したがって、上述の問題の１つ以上に対処する無線通信ネットワークのための改善されたデバイスおよび方法が必要とされている。
【発明の概要】
【０００９】
本発明の目的は、無線通信ネットワークのための改善されたデバイスおよび方法を提供することである。
【００１０】
前述および他の目的は、独立請求項の主題によって達成される。さらなる実施態様は、従属請求項、明細書および図面から明らかである。
【００１１】
一般に、本発明の実施形態は、ＳＬ通信が含まれるときに、システム設計および増大するレイテンシの問題に対する解決策を提供する。従って、本発明の実施形態は、完全な手順、修正されたスケジューリング要求（「拡張スケジューリング要求」、すなわち「ｅＳＲ」も呼ばれる）を有する簡略化された手順、ＳＬスケジューリングおよびＨＡＲＱ送信、ＳＬプリエンプション、および／またはＳＬグラントなしの送信を有する、ＵｕおよびＳＬの両方を考慮したＳＬデータおよび制御送信をサポートする。本発明の実施形態は、５Ｇ  ＮＲの標準化に特に関連する。
【００１２】
本発明の異なる態様をより詳細に説明するために、以下の用語、略語および表記を以下で使用する。
ＵＥ  ユーザ機器
ＢＳ  基地局、ｇＮｏｄｅＢ、ｅＮｏｄｅＢ、送受信ポイント、アクセスポイント、路側ユニット、ＵＥなど
Ｖ２Ｖ  ビークル・ツー・ビークル
Ｖ２Ｘ  ビークル・ツー・エブリシング
Ｃ−ＩＴＳ  セルラー高度道路交通システム
ＮＲ  ニュー・ラジオ
ＵＲＬＬＣ  超高信頼低遅延通信
ｅＭＢＢ  拡張モバイルブロードバンド
ＳＬ  サイドリンク
ＤＬ  下りリンク
ＵＬ  上りリンク
ＤＣＩ  下りリンク制御情報
ＣＢ  コードブロック
ＣＢＧ  コードブロックグループ
ＣＢＧＦＩ  ＣＢＧフラッシュアウト情報
ＣＢＧＴＩ  ＣＢＧ送信情報
ＲＲＣ  無線リソース管理
Ｌ１  レイヤ１
Ｌ２  レイヤ２
ＳＲ  スケジューリング要求
ＰＢＣＨ  物理ブロードキャストチャネル
ＰＤＣＣＨ  物理下りリンク制御チャネル
ＰＵＣＣＨ  物理上りリンク制御チャネル
ＢＷＰ  帯域幅部分
ＨＡＲＱ  ハイブリッドＡＲＱ
ＢＬＥＲ  ブロック誤り率
ＭＣＳ  変調符号化スキーム
ＴＴＩ  送信時間間隔
ＳＣＳ  サブキャリア間隔
ＢＳＲ  バッファステータス報告
ＱＣＬ  準同一位置
ＴＣＩ  送信設定表示
ＳＳ  同期信号
ＲＳ  参照信号
ＣＳＩ  チャネル状態情報
ＣＳＩＲＳ  ＣＳＩ参照信号
ＳＲＳ  サウンディング参照信号
ＣＮ−ＲＩＮＴＩ  設定済スケジューリングＲＮＴＩ
ＴＢＳ  トランスポートブロックサイズ
ＤＭＲＳ  復調参照信号
ＣＲＣ  巡回冗長検査
ＦＤＭ  周波数分割多重
【００１３】
第１の態様によれば、本発明は、ユーザ機器であって、第１の通信リソースを使用して基地局から設定情報を受信することであって、設定情報は、（ａ）基地局であって、設定情報が、ＳＲ、および／またはプライオリティ設定を含む、基地局、および／または（ｂ）さらなるユーザ機器であって、設定情報が、時間ドメインリソース設定、ＢＷＰ設定、リソースプール設定、繰り返し設定、ＱＣＬ設定、ＨＡＲＱ設定、プリエンプション設定、グラント設定、アクティブ化設定、解放設定のうちの少なくとも１つを含む、さらなるユーザ機器、と通信する、すなわちデータを送信および／または受信するために第２の通信リソースを使用したユーザ機器の通信設定を定義する、受信することを行うように構成されているユーザ機器に関する。
【００１４】
第１の態様のさらなる可能な実施態様形式では、基地局から受信した通信設定は、リンク使用法、ターゲットＢＬＥＲ／ＭＣＳテーブルの範囲／値、レイテンシ／ＴＴＩ／サブキャリア間隔ＳＣＳの範囲または値、信頼性範囲または値、可用性範囲または値、バッファステータス範囲または値のうちの１つ以上を含む通信パラメータのセッティングを含む。
【００１５】
第１の態様のさらなる可能な実施態様形式では、ユーザ機器は、ＳＲおよび／または基地局から受信したプライオリティ設定情報に基づいて、スケジューリング要求ＳＲメッセージを基地局に送信するように構成されている。
【００１６】
第１の態様のさらなる可能な実施態様形式では、ユーザ機器は、特に、ビットシーケンスとして、および／またはＳＲメッセージを基地局に送信するための複数の第３の通信リソースのうちの１つ以上の第３の通信リソースを使用して、ＳＲメッセージ内の通信パラメータを符号化するように構成されている。
【００１７】
第１の態様のさらなる可能な実施態様形式では、ユーザ機器は、基地局から、符号化スキームおよび／または通信パラメータとビットシーケンスおよび／または第３の通信リソースとの間の対応関係を受信することと、基地局によって提供される符号化スキームおよび／または対応関係に基づいて、ＳＲメッセージ内の通信パラメータを符号化することと、を行うように構成されている。
【００１８】
第１の態様のさらなる可能な実施態様形式では、設定情報は、さらなるユーザ機器と通信するために第２の通信リソースを使用したユーザ機器の通信設定を定義し、設定情報は、時間ドメインリソース設定、ＳＬ  ＢＷＰ、リソースプール、繰り返し数、ＴＣＩ／ＱＣＬ仮定、Ｕｕリンクもしくは別のサイドリンクにおける、または逆方向のサイドリンクにおけるＳＬデータのためのＨＡＲＱフィードバックリソースおよび／またはＳＬチャネルのためのＣＳＩフィードバックリソース、および／またはＳＬにおけるＣＢおよび／またはＣＢＧ設定のうちの１つ以上を含む。
【００１９】
第１の態様のさらなる可能な実施態様形式では、ユーザ機器は、さらに、第４の通信リソースを使用してさらなるユーザ機器と通信するように構成されており、ユーザ機器は、プリエンプション設定に基づいて第４の通信リソースをプリエンプションすること、および／またはさらなるユーザ機器と通信するために第２の通信リソースを使用することと、を行うように構成されている。
【００２０】
第１の態様のさらなる可能な実施態様形式では、プリエンプション設定は、ＳＬプリエンプションが有効か無効かに関する情報、プリエンプションされたＳＬリソースのうちの１つ以上、プリエンプションのための１つ以上のＳＬリソース、プリエンプションされたリソースにおけるＳＬ制御および／またはデータ設定、ＳＬプリエンプション要求設定、および／またはＳＬプリエンプション報告設定のうちの１つ以上を含む。
【００２１】
第１の態様のさらなる可能な実施態様形式では、設定情報は、第２の通信リソースの識別子を含む。
【００２２】
第１の態様のさらなる可能な実施態様形式では、ユーザ機器によって受信される通信設定は、
第２の通信リソースにおいて、または第２のＳＬにおいて送信される第２の設定済グラントの設定のために、第１のリソースにおいて、または第１のＳＬにおいて送信される設定済グラント、
第２の通信リソースにおいて、または第２のＳＬにおいて送信される第２の設定済ＲＲＣグラントおよび／または第２の設定済ＰＤＣＣＨグラントの設定のために、第１のリソースにおいて送信される設定済ＲＲＣグラント、
第１のグラントおよび／または第１の設定済グラントを伴う第２の設定済グラントのアクティブ化および／または解放、
第１の通信リソースにおいて、Ｕｕリンクにおいて、または第１のＳＬにおいて送信される第１のグラントと、第２のグラントのアクティブ化または解放のための第２のリソースにおいて、および／または第２のＳＬにおいて送信される第２のグラントとの間のタイミング、
第２の通信リソースまたは第２のＳＬ送信および／または受信のために、第１の通信リソースにおいて、Ｕｕリンクにおいて、または第１のＳＬにおいて送信される第１のグラントに基づいた設定済ＰＤＣＣＨグラントのアクティブ化および／または解放、
別のＵｕリンクもしくは第３のＳＬにおける、または逆方向のＳＬにおける第２のＳＬ設定済スケジューリングデータ送信のためのＨＡＲＱフィードバックリソース、のうちの１つ以上を含む。
【００２３】
第２の態様によれば、本発明は、基地局であって、第１の通信リソースを使用してユーザ機器に設定情報を送信することであって、設定情報は、（ａ）基地局であって、設定情報が、ＳＲ、および／またはプライオリティ設定を含む、基地局、および／または（ｂ）さらなるユーザ機器であって、設定情報が、ＢＷＰ設定、リソースプール設定、ＱＣＬ設定、ＨＡＲＱ設定、プリエンプション設定、グラント設定、アクティブ化設定、解放設定のうちの少なくとも１つを含む、さらなるユーザ機器、と通信するために、第２の通信リソースを使用したユーザ機器の通信設定を定義する、送信することを行うように構成されている基地局に関する。
【００２４】
第２の態様のさらなる可能な実施態様形式では、ユーザ機器に送信した通信設定は、リンク使用法、ターゲットＢＬＥＲ／ＭＣＳテーブルの範囲／値、レイテンシ／ＴＴＩ／ＳＣＳ範囲または値、信頼性範囲または値、可用性範囲または値、バッファステータス範囲または値のうちの１つ以上を含む通信パラメータのセッティングを含む。
【００２５】
第２の態様のさらなる可能な実施態様形式では、基地局は、ＳＲおよび／またはユーザ機器に送信したプライオリティ設定情報に基づいて、スケジューリング要求ＳＲメッセージをユーザ機器から受信するように構成されている。
【００２６】
第２の態様のさらなる可能な実施態様形式では、基地局は、さらに、特に、ＳＲメッセージ内に含まれるビットシーケンス、および／またはユーザ機器からのＳＲメッセージを受信するために使用される複数の第３の通信リソースのうちの１つ以上の第３の通信リソースに基づいて、ＳＲメッセージ内の通信パラメータを復号するように構成されている。
【００２７】
第２の態様のさらなる可能な実施態様形式では、基地局は、ユーザ機器に、符号化スキームおよび／または通信パラメータとビットシーケンスおよび／または第３の通信リソースとの間の対応関係を提供して、ユーザ機器が符号化スキームおよび／または対応関係に基づいて、ＳＲメッセージ内の通信パラメータを符号化することを可能にするように構成されている。
【００２８】
第２の態様のさらなる可能な実施態様形式では、設定情報は、さらなるユーザ機器と通信するために第２の通信リソースを使用したユーザ機器の通信設定を定義し、設定情報は、時間ドメインリソース設定、ＳＬ  ＢＷＰ、ＴＣＩ／ＱＣＬ仮定、繰り返し数、Ｕｕリンクもしくは別のサイドリンクにおける、または逆方向のサイドリンクにおけるＳＬデータのためのＨＡＲＱフィードバックリソースおよび／またはＳＬチャネルのためのＣＳＩフィードバックリソース、および／またはＳＬにおけるＣＢおよび／またはＣＢＧ設定のうちの１つ以上を含む。
【００２９】
第２の態様のさらなる可能な実施態様形式では、ユーザ機器は、第４の通信リソースを使用してさらなるユーザ機器と通信するように構成されており、ユーザ機器は、プリエンプション設定に基づいて第４の通信リソースをプリエンプションすること、および／またはさらなるユーザ機器と通信するために第２の通信リソースを使用することと、を行うように構成されている。
【００３０】
第２の態様のさらなる可能な実施態様形式では、プリエンプション設定は、ＳＬプリエンプションが有効か無効かに関する情報、プリエンプションされたＳＬリソースのうちの１つ以上、プリエンプションのための１つ以上のＳＬリソース、プリエンプションされたリソースにおけるＳＬ制御および／またはデータ設定、ＳＬプリエンプション要求設定、および／またはＳＬプリエンプション報告設定のうちの１つ以上を含む。
【００３１】
第２の態様のさらなる可能な実施態様形式では、基地局によって送信される通信設定は、
第２の通信リソースにおいて、または第２のＳＬにおいて送信される第２の設定済グラントの設定のために、第１のリソースにおいて、または第１のＳＬにおいて送信される設定済グラント、
第２の通信リソースにおいて、または第２のＳＬにおいて送信される第２の設定済ＲＲＣグラントおよび／または第２の設定済ＰＤＣＣＨグラントの設定のために、第１のＳＬにおいて送信される設定済ＲＲＣグラント、
第１のグラントおよび／または第１の設定済グラントを伴う第２の設定済グラントのアクティブ化および／または解放、
第１の通信リソースにおいて、Ｕｕリンクにおいて、または第１のＳＬにおいて送信される第１のグラントと、第２のグラントのアクティブ化および／または解放のための第２のリソースにおいて、または第２のＳＬにおいて送信される第２のグラントとの間のタイミング、
第２の通信リソースまたは第２のＳＬ送信および／または受信のために、第１の通信リソースにおいて、Ｕｕリンクにおいて、または第１のＳＬにおいて送信される第１のグラントに基づいた設定済ＰＤＣＣＨグラントのアクティブ化および／または解放、
別のＵｕリンクもしくは第３のＳＬにおける、または逆方向のＳＬにおける第２のＳＬ設定済スケジューリングデータ送信のためのＨＡＲＱフィードバックリソース、のうちの１つ以上を含む。
【００３２】
１つ以上の実施形態の詳細は、添付の図面および以下の説明に記載されている。他の特徴、目的、および利点は、明細書、図面、および特許請求の範囲から明らかであろう。
【図面の簡単な説明】
【００３３】
以下、本発明の実施形態が添付の図および図面を参照して、より詳細に説明される。
【００３４】
【図１】一実施形態のユーザ機器と一実施形態の基地局とを含む無線通信ネットワークの概略図である。
【図２】一実施形態によるユーザ機器および一実施形態による基地局において実施される本発明の異なる態様を示すシグナリング図である。
【図３】一実施形態によるユーザ機器および一実施形態による基地局において実施される本発明の異なる態様を示すシグナリング図である。
【図４】一実施形態によるユーザ機器および一実施形態による基地局において実施される本発明の異なる態様を示すシグナリング図である。
【図５】一実施形態によるユーザ機器および一実施形態による基地局において実施される本発明の異なる態様を示すシグナリング図である。
【図６】一実施形態によるユーザ機器および一実施形態による基地局において実施される本発明の異なる態様を示すシグナリング図である。
【図７】一実施形態によるユーザ機器および一実施形態による基地局において実施される本発明の異なる態様を示すシグナリング図である。
【００３５】
以下、同一の参照符号は、同一のまたは少なくとも機能的に同等の特徴を指す。
【発明を実施するための形態】
【００３６】
以下の説明では、本開示の一部を形成し、本発明の実施形態の特定の態様または本発明の実施形態が使用され得る特定の態様を例示により示す添付の図面を参照する。本発明の実施形態は、他の態様で使用され、図に描かれていない構造的または論理的変更を含んでもよいと理解される。従って、以下の詳細な説明は、限定的な意味で解釈されるべきではなく、本発明の範囲は、添付の特許請求の範囲によって定義される。
【００３７】
例えば、記載された方法に関連する開示は、当該方法を実行するように構成されている対応するデバイスまたはシステムについても当てはまり、その逆もまた真であり得ると理解される。例えば、１つまたは複数の特定の方法ステップが説明されている場合、対応するデバイスは、たとえそのような１つまたは複数のユニットが明示的に図に説明または例示されていなくても、説明された１つまたは複数の方法ステップを実行するための１つまたは複数のユニット、例えば、機能ユニット（例えば、１つのユニットが１つまたは複数のステップを実行する、または複数のユニットの各々が複数のステップのうちの１つ以上を実行する）を含んでもよい。一方、例えば、１つまたは複数のユニット、例えば、機能ユニットに基づいて特定のデバイスが記載される場合、対応する方法は、たとえそのような１つまたは複数のユニットが明示的に図に説明または例示されていなくても、１つまたは複数のユニットの機能性を実行するための１つのステップ（例えば、１つのステップが１つまたは複数のユニットの機能性を実行するか、または複数のステップの各々が複数のユニットのうちの１つまたは複数の機能性を実行する）を含んでもよい。さらに、本明細書で説明される種々の例示的な実施形態および／または態様の特徴は、特に断らない限り、互いに組み合わせることができることが理解される。
【００３８】
本明細書で説明される方法、デバイス、およびシステムは、特に、５Ｇ  ＮＲ  （ニュー・ラジオ）移動通信標準およびそれを超えるものに基づいて無線通信ネットワークにおいて実施されてもよい。
【００３９】
同様に、本明細書で説明される方法、デバイス、およびシステムは、ＬＴＥ、特に３Ｇ、４Ｇ、４．５Ｇ、および５Ｇなどの移動通信標準に基づいて無線通信ネットワークにおいて実施されてもよい。本明細書で説明される方法、デバイスおよびシステムはまた、無線通信ネットワーク、特に、ＩＥＥＥ  ８０２．１１によるＷｉＦｉ通信標準に類似した通信ネットワークにおいて実施されてもよい。説明されるデバイスは、集積回路および／または受動素子を含んでもよく、種々の技術に従って製造されてもよい。例えば、回路は、論理集積回路、アナログ集積回路、混合信号集積回路、光回路、メモリ回路、および／または集積パッシブとして設計されてもよい。
【００４０】
本明細書で説明されるデバイスは、無線信号を送信および／または受信するように構成されてもよい。無線信号は、無線送信デバイス（または無線送信機もしくはセンダー）によって放射される無線周波数信号であってもよく、またはこれを含んでもよい。しかしながら、本明細書で説明されるデバイスは、無線信号を送信および／または受信することに限定されるものではなく、決定論的通信ネットワークにおける送信のために設計される他の信号が送信および／または受信されてもよい。
【００４１】
本明細書で説明されるデバイスおよびシステムは、プロセッサまたは処理デバイス、メモリおよびトランシーバ、すなわち、送信機および／または受信機を含んでもよい。以下の説明において、用語「プロセッサ」または「処理デバイス」は、特定のタスク（または、ブロックまたはステップ）を処理するために使用され得る任意のデバイスを説明する。プロセッサまたは処理デバイスは、単一のプロセッサまたはマルチコアプロセッサとすることができ、プロセッサのセットを含むことができ、または処理のための手段を含むことができるプロセッサまたは処理デバイスは、ソフトウェア、ファームウェア、またはアプリケーションなどを処理することができる。
【００４２】
図１は、無線通信ネットワーク１００を示す概略図である。一実施形態では、無線通信ネットワーク１００は、第５Ｇ標準またはそれに基づく標準よるネットワークとして実施することができる。図１に示す例示的な実施形態では、無線通信ネットワーク１００は、第１のユーザ機器１０１、第２のユーザ機器１０３、および基地局１０５を含む。図１に例示するように、第１のユーザ機器１０１は、第１の通信リソースまたはリンクを使用して、上りリンクおよび下りリンク方向において基地局１０５と通信するように構成されている。同様に、第２のユーザ機器１０３は、第３の通信リソースまたはリンクを使用して、上りリンクおよび下りリンク方向において基地局１０５と通信するように構成されている。第１のユーザ機器１０１と第２のユーザ機器１０３は、第２の通信リソースを使用して、サイドリンク方向において互いに直接通信することができる。以下により詳細に説明するように、本発明の実施形態は、特にＵＲＬＬＣサイドリンク通信を提供するのに適している。
【００４３】
図１では、ユーザ機器１０１、１０３は、車両ＵＥとして例示されているが、当業者は、本発明の実施形態が、ＵＬおよびＤＬを介して基地局と、およびＳＬを介して互いに通信するように構成されている任意のタイプのユーザ機器１０１、１０３、例えば、インダストリー４．０シナリオにおいて実施されるユーザ機器に適用されると理解するであろう。本明細書で使用する場合、用語「基地局」は、エアインターフェースを介してユーザ機器と通信するように構成されている任意のタイプのネットワークエンティティ、例えばｇＮＢ、アクセスポイント、ＴＲＰ、ＲＳＵ、リレーなどに適用される。
【００４４】
以下により詳細に説明するように、第１のユーザ機器１０１は、第１の通信リソースを使用して、基地局１０５から設定情報を受信するように構成されている。
設定情報は、（ａ）基地局１０５であって、設定情報が、スケジューリング要求ＳＲ、および／またはプライオリティ設定を含む、基地局１０５、および／または（ｂ）第２のユーザ機器１０３であって、設定情報が、時間ドメインリソース設定、帯域幅部分ＢＷＰ設定、リソースプール設定、繰り返し設定、準同一位置ＱＣＬ設定、ＨＡＲＱ設定、プリエンプション設定、グラント設定、アクティブ化設定、解放設定のうちの少なくとも１つを含む、第２のユーザ機器１０３、と通信する、すなわちデータを送信および／または受信するために第２の通信リソースを使用したユーザ機器１０１の通信設定を定義する。
【００４５】
同様に、基地局１０５は、第１の通信リソースを使用して、設定情報を第１のユーザ機器１０１に送信するように構成される。設定情報は、（ａ）前記基地局１０５であって、前記設定情報が、ＳＲ、および／またはプライオリティ設定を含む、前記基地局１０５、および／または（ｂ）第２のユーザ機器１０３であって、前記設定情報が、時間ドメインリソース設定、ＢＷＰ設定、リソースプール設定、繰り返し設定、ＱＣＬ設定、ＨＡＲＱ設定、プリエンプション設定、グラント設定、アクティブ化設定、解放設定のうちの少なくとも１つを含む、第２のユーザ機器１０３、と通信するために、第２の通信リソースを使用した前記ユーザ機器１０１の通信設定を定義する。
【００４６】
一実施形態では、基地局１０５から受信した通信設定は、リンク使用法、ターゲットＢＬＥＲ／ＭＣＳテーブルの範囲／値、レイテンシ／ＴＴＩ／サブキャリア間隔ＳＣＳの範囲または値、信頼性範囲または値、可用性範囲または値、バッファステータス範囲または値のうちの１つ以上を含む、第２の通信リソースを使用した通信のための通信パラメータのセッティングを含むことができる。
【００４７】
一実施形態では、第１のユーザ機器１０１は、ＳＲおよび／または基地局１０５から受信したプライオリティ設定情報に基づいて、スケジューリング要求ＳＲメッセージを基地局１０５に送信するように構成されている。
【００４８】
一実施形態では、第１のユーザ機器１０１は、特に、ビットシーケンスとして、および／またはＳＲメッセージを基地局１０５に送信するための複数の第３の通信リソースのうちの１つ以上の第３の通信リソースを使用して、ＳＲメッセージ内の通信パラメータを符号化するように構成されている。
【００４９】
一実施形態では、ユーザ機器１０１は、基地局１０５から、符号化スキームおよび／または通信パラメータとビットシーケンスおよび／または第３の通信リソースとの間の対応関係スキームを受信することと、基地局１０５によって提供される符号化スキームおよび／または対応関係スキームに基づいて、ＳＲメッセージ内の通信パラメータを符号化することと、を行うように構成されている。
【００５０】
一実施形態では、設定情報が、第２ユーザ機器１０３と通信するために第２の通信リソースを使用したユーザ機器１０１の通信設定を定義する場合、設定情報は、時間ドメインリソース、ＳＬ  ＢＷＰ、リソースプール、繰り返し数、ＴＣＩ／ＱＣＬ仮定、Ｕｕリンクおよび／または別のサイドリンクにおけるまたは逆方向のサイドリンクにおけるＳＬデータのためのＨＡＲＱフィードバックリソースおよび／またはＳＬチャネルのためのＣＳＩフィードバックリソース、および／またはＳＬにおけるＣＢおよび／またはＣＢＧ設定のうちの１つ以上を含むことができる。
【００５１】
一実施形態では、ユーザ機器１０１は、さらに、ｅＭＢＢ通信モードに関連付けられた通信リソースなどの第４の通信リソースを使用して第２のユーザ機器１０３と通信するように構成されており、ユーザ機器１０１は、プリエンプション設定に基づいて第４の通信リソース、例えばｅＭＢＢ通信モードに関連付けられた通信リソースをプリエンプションすることと、第２のユーザ機器１０３と通信するために第２の通信リソース、例えばＵＲＬＬＣ通信モードに関連付けられた通信リソースを使用することと、を行うように構成されている。
【００５２】
実施形態において、プリエンプション設定は、ＳＬプリエンプションが有効か無効かに関する情報、プリエンプションされたＳＬリソースのうちの１つ以上、プリエンプションのための１つ以上のＳＬリソース、プリエンプションされたリソースにおけるＳＬ制御および／またはデータ設定、ＳＬプリエンプション要求設定、および／またはＳＬプリエンプション報告設定のうちの１つ以上を含むことができる。
【００５３】
一実施形態では、設定情報は、第２の通信リソースの識別子を含むことができる。
【００５４】
一実施形態では、ユーザ機器１０１によって基地局１０５から受信する通信設定は、
第２の通信リソースにおいて、または第２のＳＬにおいて送信される第２の設定済グラントの設定のために、第１のリソースにおいて、または第１のＳＬにおいて送信される設定済グラント、
第２の通信リソースにおいて、または第２のＳＬにおいて送信される第２の設定済ＲＲＣグラントおよび／または第２の設定済ＰＤＣＣＨグラントの設定のために、第１のリソースにおいて送信される設定済ＲＲＣグラント、
第１のグラントおよび／または第１の設定済グラントを伴う第２の設定済グラントのアクティブ化および／または解放、
第１の通信リソースにおいて、Ｕｕリンクにおいて、または第１のＳＬにおいて送信される第１のグラントと、第２のグラントのアクティブ化または解放のための第２のリソースにおいて、および／または第２のＳＬにおいて送信される第２のグラントとの間のタイミング、
第２の通信リソースまたは第２のＳＬ送信および／または受信のために、第１の通信リソースにおいて、Ｕｕリンクにおいて、または第１のＳＬにおいて送信される第１のグラントに基づいた設定済ＰＤＣＣＨグラントのアクティブ化および／または解放、
別のＵｕリンクもしくは第３のＳＬにおける、または逆方向のＳＬにおける第２のＳＬ設定済スケジューリングデータ送信のためのＨＡＲＱフィードバックリソース、のうちの１つ以上を含む。
【００５５】
以下、第１のユーザ機器１０１（第１のＵＥまたはＵＥ１とも呼ばれる）、第２のユーザ機器１０３（第２のＵＥまたはＵＥ２とも呼ばれる）および基地局１０５（図ではｇＮＢとも呼ばれる）のさらなる実施形態および詳細を説明する。
【００５６】
本発明の実施形態は、ＳＬにおけるグラントベースのＵＲＬＬＣ送信のための解決策を提供する。この目的のために、本発明の実施形態は、ＳＬ  ＳＲ送信を利用する。ＵＲＬＬＣの低遅延高信頼性要求を満たすために、ＵＲＬＬＣがＳＬにおいて送信されるときに、ＳＬ  ＳＲメッセージは、基地局１０５によるスケジューリングのために、可能な限り多くの情報を搬送することが好ましい。アプリケーションシナリオに応じて、本発明の実施形態によれば、いくつかの通信パラメータまたは要件は、特定の範囲、例えば、信頼性要求範囲、レイテンシ要求範囲、ペイロードサイズ範囲などに制限されてもよい。既に説明したように、ＵＥ１０１は、リンク使用法、ターゲットＢＬＥＲ／ＭＣＳテーブルの範囲／値、レイテンシ／ＴＴＩ／ＳＣＳの範囲または値、信頼性範囲または値、可用性範囲または値、バッファステータス範囲または値、同期精度、位置決め精度および／またはサイクル時間のなどの特定の事前設定パラメータを含む設定情報を受信することができる。次いで、本発明の実施形態によれば、ＵＥ１０１は、低遅延で基地局１０５に低オーバーヘッドＳＲメッセージでそのような要件に提供することができる。基地局１０５は、次に、これらの要件を考慮に入れてその後のスケジューリングを行うことができる。例えば、必要とされるターゲットＢＬＥＲが低い場合、いくつかのダイバーシチスキームが基地局によって考慮され得る。レイテンシ要件が厳しいときに、いくつかの低レイテンシスキームが以下の設定において考慮され得る。
【００５７】
既に説明したように、本発明の実施形態によれば、リンク使用法、ターゲットＢＬＥＲ／ＭＣＳテーブルの範囲／値、レイテンシ／ＴＴＩ／サブキャリア間隔ＳＣＳの範囲または値、信頼性範囲または値、可用性範囲または値、バッファステータス範囲または値、同期精度、位置決め精度、サイクル時間などのうちの１つ以上を定義する設定を取得するために、ＵＥ１０１のための事前設定または受信信号が存在し得る。例えば、可能なターゲットＢＬＥＲ範囲は、＜＝１ｅ−２、＜＝１ｅ−３、＜＝１ｅ−４、＜＝１ｅ−５、＜＝１ｅ−６、＜＝１ｅ−９であり得る。可能なレイテンシの範囲は、＜＝０．５ｍｓ、＜＝１ｍｓ、＜＝２ｍｓ、＜＝３ｍｓであり得る。
【００５８】
すでに説明したように、ＳＲビット状態またはＳＲリソースと設定情報との間のマッピングまたは対応関係、特にＳＲまたはプライオリティ情報は、予め定義または設定され得る。本発明の実施形態によれば、設定情報、特にＳＲまたはプライオリティ情報は、リンク使用法、ターゲットＢＬＥＲ／ＭＣＳテーブルの範囲／値、レイテンシ／ＴＴＩ／サブキャリア間隔ＳＣＳの範囲または値、信頼性範囲または値、可用性範囲または値、バッファステータス範囲または値、同期精度、位置決め精度、および／またはサイクル時間のうちの１つ以上１つ以上を定義する。
【００５９】
例えば、現在のＢＳＲテーブルは、１つまたは２つの大きなテーブルに固定および定義され、これは、基地局１０５への報告のために５、６または８のＢＳＲビットを必要とする。本発明の実施形態によれば、このデータは、ＰＵＳＣＨを用いて搬送される上位レイヤＭＡＣ  ＣＥシグナリングとして実施され得る。
【００６０】
多くの産業シナリオでは、パケットサイズは、典型的に、特定の範囲に制限される。ＴＢＳまたはＢＳＲの範囲または値をシグナリングすることによって、必要とされるビットおよび／またはリソースの量／数を著しく減らすことができ、または、ＢＳＲのより細かい粒度を、同様またはより少ないシグナリングオーバーヘッドで達成することができる。本発明の実施形態によれば、低いオーバーヘッド要求情報は、ＰＨＹシグナリング、例えば、下記の表１および２に示すようなＳＲまたはＰＵＣＣＨリソースと共に運ぶことができる。シグナリングされたＴＢＳまたはＢＳＲ範囲は、現在のＴＢＳテーブルまたはＢＳＲテーブルのサブセットでとすることができるか、あるいは独立したＴＢＳまたはＢＳＲ範囲または値を含むことができる。
【表１】
2022500960.tif 000003
【表２】
2022500960.tif 000004
【００６１】
本発明の実施形態によれば、ＵＥ１０１は、ＳＲ情報および／またはプライオリティ情報のような設定情報を、専用ＳＲビットステータス、専用ＳＲリソース、ＰＵＣＣＨリソース、またはそれらの任意の組み合わせとの事前定義されたまたは設定された対応関係に基づいて、符号化された形式で送信することができる。ＳＲメッセージから抽出されたリンク使用法および／または信頼性および／またはレイテンシおよび／またはバッファステータスおよび／またはＴＢＳに関して示された情報に基づいて、基地局１０５は、ＳＬ制御／データ表示、クロスリンク協調、プリエンプション、設定済グラント送信などのような適切な制御／データ送信スキームを選択することができる。
【００６２】
以下の表３は、本発明の実施形態により、利用可能な通信リソースのサブセットを使用して、異なるレイテンシ範囲をＳＲ送信によって表すことができることを例示する。各リソースについて、正のＳＲが送信されるときは、スケジューリング要求があるか、またはリソースが必要とされることを意味することに留意する。ＳＲが送受信されないときは、スケジューリング要求がないか、またはリソース要求がないことを意味する。
【表３】
2022500960.tif 000005
【００６３】
以下の表４は、本発明の実施形態により、異なるＳＲビットシーケンスを使用して、異なるレイテンシ範囲をＳＲ送信によって表すことができることを例示する。有効なビットシーケンスが検出されないか、またはＳＲメッセージが送信されないときは、スケジューリング要求がないか、またはリソース要求がないことを意味することに留意する。正のＳＲが、事前定義のビットシーケンス／ステータスおよびレイテンシ範囲に従って送信または検出されるときは、対応する必要とされるレイテンシ範囲と同様に、ＵＥ１０１によってスケジューリング要求または必要とされる通信リソースがあることを意味する。
【表４】
2022500960.tif 000006
【００６４】
以下の表５は、本発明の実施形態により、上述したように、異なる通信リソースを使用するＳＲ送信によって、異なるリンク使用法を表すことができることを例示する。有効なビットシーケンス／フィールドが検出されないか、またはＳＲが送信されないときは、スケジューリング要求がないか、またはリソース要求がないことを意味することに留意する。正のＳＲメッセージが、事前定義のリソースとリンク使用法に従って送信または検出されるときは、対応する要求されたリンクと同様にスケジューリング要求または必要とされるリソースがあることを意味する。ＳＬの数やＳＬのホップ数も、ＳＲメッセージ内で搬送され得ると留意する。
【表５】
2022500960.tif 000007
【００６５】
以下の表６は、本発明の実施形態により、異なるレイテンシ範囲、信頼性範囲、および／またはリンク使用法の組み合わせを、異なる通信リソースを使用するＳＲ送信によって表すことができることを例示する。有効なビットステータスが検出されないか、またはＳＲが送信されないときは、スケジューリング要求がないか、またはリソース要求がないことを意味することに留意する。正のＳＲが、事前定義または事前設定のリソースとリンク使用法に従って送信または検出されるときに、スケジューリング要求または必要とされるリソースがあり、対応する必要とされるレイテンシ、信頼性範囲および要求されたリンクもあることを意味する。
【表６】
2022500960.tif 000008
【００６６】
以下の表７は、本発明の実施形態により、異なるバッファサイズ／バッファステータス範囲または値およびリンク使用法の組み合わせを表すことができる、すなわち、異なる通信リソースおよび／または異なるビットフィールド／シーケンスを使用するＳＲ送信によって符号化することができることを例示する。有効なビットステータスが検出されないか、またはＳＲが送信されないときに、スケジューリング要求がないか、またはリソース要求がないことを意味することに留意する。ＳＲが、事前定義のリソースまたはビットステータス、リンクの使用法およびＢＳＲ情報により送信または検出されるときは、スケジューリング要求または必要とされるリソースがあり、対応する要求されたＢＳＲおよび要求されたリンクもあることを意味する。
【表７】
2022500960.tif 000009
【００６７】
以下の表８は、本発明の実施形態により、異なるバッファサイズ／バッファステータス範囲、レイテンシおよび信頼性の組み合わせを、異なる通信リソースまたは異なるビットフィールド／シーケンスを使用するＳＲ送信によって表すことができることを例示する。有効なビットステータスが検出されないか、ＳＲが送信されないときは、スケジューリング要求がないか、リソース要求がないことを意味することに留意する。ＳＲが、事前定義の通信リソースまたはビットステータス／フィールド／シーケンス、レイテンシ、信頼性およびＢＳＲ情報により送信または検出されるときは、対応する要求されたＢＳＲ、レイテンシおよび信頼性と同様にスケジューリング要求または必要とされるリソースがあることを意味する。
【表８】
2022500960.tif 000010
【００６８】
以下の表９は、本発明の実施形態により、異なるバッファサイズ／バッファステータス範囲およびリンク使用法、レイテンシおよび／または信頼性の組み合わせを、異なる通信リソースおよび／または異なるビットフィールド／シーケンスを使用するＳＲ送信によって表すことができることを例示する。有効なビットフィールド／シーケンスが検出されないか、ＳＲが送信されないときは、スケジューリング要求がないか、リソース要求がないことを意味することに留意する。ＳＲメッセージが、事前定義のリソースまたはビットフィールド／シーケンス、ＢＳＲおよびレイテンシおよび／または信頼性情報により送信または検出されるときは、スケジューリング要求または必要とされるリソースがあり、対応する要求されたＢＳＲ、要求されたリンク、必要とされるレイテンシおよび信頼性があることを意味する。
【表９】
2022500960.tif 000011
【００６９】
本発明の実施形態によって提供される拡張ＳＲ設定情報および送信に基づいて、レイテンシを低減することができ、信頼性およびリソース効率を向上させることができる。
【００７０】
本発明の実施形態によれば、プライオリティ情報は、ＳＲメッセージによって搬送され得るか、またはＢＳＲメッセージと共に送信され得る。本発明の２つの対応する実施形態がＦｉｇ．２ａおよび２ｂに例示される。
【００７１】
Ｆｉｇ．２ａは、本発明の実施形態によって実施される手順を例示しており、これは、ＳＲの送信からグラント設定のスケジューリングまでの４つの主要なステップを伴う。この場合、拡張ＳＲ情報またはプライオリティ情報、すなわち、例えば、リンク使用法、レイテンシおよび／または信頼性を含む設定情報は、例えば、上述の符号化スキームのうちのいずれかを使用した、ＵＥ１０１から基地局１０５へのＳＲメッセージに含まれ得る（Ｆｉｇ．２ａの第１ステップを参照）。代替的または追加的に、設定情報は、ＢＳＲメッセージと共に送信することができる（Ｆｉｇ．２ａの第３のステップを参照）。
【００７２】
Ｆｉｇ．２ｂに示す実施形態では、手順は、ＳＲ送信からグラント設定のスケジューリングまで２つのステップのみを含む。この実施形態では、設定情報、すなわち、例えば、リンク使用法、レイテンシ、信頼性、および／またはバッファステータス情報を含む拡張ＳＲ情報は、ＵＥ１０１から基地局１９５へＳＲメッセージ内で搬送され得る（Ｆｉｇ．２ｂの第１ステップを参照）。これに応答して、ＳＲメッセージに含まれる設定情報に基づいて、基地局１０５は、例えば、ＳＬグラントおよび／またはデータに対して、グラントを設定することができる（Ｆｉｇ．２ｂの第２ステップを参照）。
【００７３】
Ｆｉｇ．２ａおよびＦｉｇ．２ｂに例示するように、ＳＬ  ＳＲおよび／またはＢＳＲが１０１ＵＥから送信され、基地局１０５によって受信されるときは、本発明の実施形態により、基地局１０５は、ＳＬを示すＵｕリンク、または第２のＳＬを示す第１のＳＬなどのクロスリンク表示を介して、ＳＬ制御およびデータ送信パラメータの両方を設定することができる。本発明の実施形態によれば、クロスリンク設定パラメータは、一般に、ＳＬ周波数設定、ＳＬ時間設定、ＳＬリソースプール設定、ＳＬ繰り返し設定、制御チャネルのためのＳＬ  ＱＣＬ仮定、データチャネルのためのＳＬ  ＱＣＬ仮定、ＣＢＧＴＩおよび／またはＳＬ  ＤＣＩのためのＣＢＧＦＩを含むかどうか、および／またはＳＬ  ＨＡＲＱフィードバックリソース設定のうちの１つ以上を含むことができる。
【００７４】
より具体的には、本発明の実施形態によれば、ＳＬ周波数設定は、ＳＬ  ＢＷＰおよび／またはキャリア表示および／またはＳＬ周波数ホッピングを含むことができる。送信機と受信機は異なるＢＷＰ能力を持つことができ、例えば、一方は広帯域または複数のＢＷＰをサポートすることができ、他方は狭帯域ＢＷＰまたは少数のＢＷＰのみをサポートすることができる。この目的のために、クロスリンクシグナリング、例えば、Ｕｕリンクは、前述のように、設定情報を使用してＳＬ  ＢＷＰリソース設定を示すことができる。ＳＬ  ＢＷＰ設定は、ＤＬ  ＢＷＰおよび／またはＵＬ  ＢＷＰ設定を含めることができる。ＵｕリンクとＳＬとの間のＦＤＭをサポートしている場合は、ＵｕリンクおよびＳＬに対して同じＢＷＰまたは共有ＢＷＰを設定することができる。本発明の実施形態によれば、ＵＥ１０１は、全てのＳＬのためのＤＬ  ＢＷＰ設定およびＳＬためのＵＬ  ＢＷＰまたはＳＬ受信のためのＤＬ  ＢＷＰ設定およびＳＬ送信のためのＵＬ  ＢＷＰ設定を有してもよい。ＳＬ  ＢＷＰは、Ｕｕリンクケースとの共有ＢＷＰに適したリソースブロックグリッドのＳＬ共通リソースポイントとして、ＵｕリンクのポイントＡを再利用してもよい。
【００７５】
本発明の実施形態によれば、ＳＬ時間設定は、ＳＬ送信時間、ＳＬ受信時間および／またはＳＬ監視時間を含むことができる。ＳＬ送信時間は、Ｕｕリンクまたは別のＳＬにおいて設定されたフレキシブルシンボル、および／またはＵｕリンクまたは別のＳＬにおいて設定されたＤＬシンボル、および／またはＵｕリンクまたは別のＳＬにおいて設定されたＵＬシンボルを含むことができる。ＳＬ受信時間は、Ｕｕリンクまたは別のＳＬにおいて設定されたフレキシブルシンボル、および／またはＵｕリンクまたは別のＳＬにおいて設定されたＤＬシンボル、および／またはＵｕリンクまたは別のＳＬにおいてに設定されたＵＬシンボルを含むことができる。ＳＬ時間設定は、ｔｄｄ−ＵＬ−ＤＬ−ＣｏｎｆｉｇｕｒａｔｉｏｎＣｏｍｍｏｎ、ｔｄｄ−ＵＬ−ＤＬ−ＣｏｎｆｉｇｕｒａｔｉｏｎＣｏｍｍｏｎ２、またはｔｄｄ−ＵＬ−ＤＬ−ＣｏｎｆｉｇＤｅｄｉｃａｔｅｄ設定をオーバライドしてもよい。これらの設定は、ＵＥ１０１によってＵｕリンクを介して受信されてもよい。ＳＬの送信時間や受信時間は、Ｕｕリンクにおいて直接設定することができる。代替的には、ＵｕとＳＬの両方でシグナリングを送信することができる。
【００７６】
本発明の実施形態によれば、ＳＬリソースプール設定は、ＳＬ通信のための１つ以上のリソースプールを含むことができる。ＳＬリソースプールは、時間および周波数ドメインリソースの両方が含む。ＳＬリソースプールの周波数リソースは、通常ＵＥの無線周波数能力を定義するＢＷＰ内とすることができる。
【００７７】
本発明の実施形態によれば、ＳＬ繰り返し設定は、ＳＬ制御繰り返しおよび／またはＳＬデータ繰り返しを含むことができる。ＵＲＬＬＣの低遅延および信頼性の要件を満たすために、クロスリンクまたはＵｕリンク設定に基づいてＳＬ制御およびデータの両方に対して繰り返しを設定してもよい。繰り返し数、時間および周波数リソース、繰り返しにおける各送信に対するＱＣＬ仮定のうちの１つ以上を設定することができる。
【００７８】
本発明の実施形態によれば、ＳＬビームまたはＱＣＬ仮定設定は、ＳＬ  ＴＣＩ設定、ＳＬ  ＳＳ、ＳＬ  ＲＳ、ＳＬ  ＣＳＩＲＳまたはＳＬ  ＳＲＳを伴うＳＬ制御および／またはデータチャネルＱＣＬ仮定を含むことができる。
【００７９】
本発明の実施形態によれば、ＳＬ  ＨＡＲＱおよび／またはＣＳＩフィードバックリソース設定は、Ｆｉｇ．３ａおよびＦｉｇ．３ｂを参照して以下でより詳細に説明されるように、ＳＬの反対方向における、ＳＬ  ＵＬにおける、または逆方向のＳＬにおけるＳＬフィードバックリソース設定、および／または別のＵｕリンクにおける、第２のＵｕリンクにおける、または第３のＳＬにおけるＳＬフィードバックリソース設定を含むことができる。
【００８０】
Ｆｉｇ．３ａに示すように、ＳＬの反対方向におけるＳＬフィードバックリソース設定に対して、ＳＬフィードバックは、ＳＬデータ送信とは反対方向に送信される。また、ＳＬデータ送信機、例えば、ＵＥ１０１は、ＳＬ  ＨＡＲＱ  ＡＣＫまたはＮＡＣＫ情報をスケジューリングされた機器、例えば、基地局１０５にフィードバックすることができる。例えば、基地局１０５において、フィードバックリソースは、第１のＵＥ１０１と基地局１０５との間のＵｕリンクおよび／または第１のＳＬにおいて設定される。
【００８１】
別のＵｕリンク、第２のＵｕリンクまたは第３のＳＬにおけるＳＬフィードバックの場合、ＳＬフィードバックリソース設定は、Ｆｉｇ．３ｂに示すように、第２のＵｕリンクまたは第３のＳＬに基づいて、例えば、基地局１０５から第２のＵＥ１０３に直接設定することができる。代替的には、ＳＬフィードバックリソースは、第１のＵｕリンクおよび／または第２のＳＬに基づいて設定することができ、これは、Ｆｉｇ．３ｂにおいて、基地局１０５から第１のＵＥ１０１への設定情報の送信に基づいて、および／または第１のＵＥ１０１から第２のＵＥ１０３へのＳＬグラントに基づく。
【００８２】
本発明の実施形態によれば、設定情報は、ＣＢＧベースの送信がＳＬのために使用されるかどうかを設定することができる。例えば、ＳＬ  ＤＣＩコンテンツには、ＣＢＧＴＩ（コードブロックグループ送信情報）／ＣＢＧＦＩ（コードブロックグループフラッシュアウト情報）について含むか、または含まないＤＣＩフォーマット／コンテンツの影響があり得る。
【００８３】
すでに説明したように、本発明の実施形態は、プリエンプションベースのＳＬ  ＵＲＬＬＣ送信を実施することができる。本発明の実施形態によれば、シグナリングは、ＳＬに対してプリエンプションが有効であるかどうかを通知するように設定することができる。ＳＬにおいて既に進行中のｅＭＢＢ送信があり、ＵＲＬＬＣトラフィックがＳＬを介して送信される必要がある場合、本発明の実施形態は、ＳＬ  ＵＲＬＬＣ送信のためのＳＬ  ｅＭＢＢリソースのプリエンプションを実施する。しかしながら、ＳＬプリエンプトはＵｕリンクとは異なる。Ｕｕ  ＤＬの場合、スケジューリング、データおよび制御送信はすべて基地局１０５によって実行され、他の中間リンクまたはノードを伴わない。ＳＬプリエンプションの場合、第２のＳＬ送信設定または調整のために第１のＵｕリンクまたは第１のＳＬにおいて集中化されたスケジューリングデバイスがあってもよい。。
【００８４】
本発明の実施形態によれば、ネットワーク１００は、（図５にも例示するように）以下の方法で、第２のＳＬプリエンプトのための送信設定を設定／事前定義することができる。プリエンプション設定は、プリエンプションのためのリソースを含むことができる。リソースは、プリエンプションのための時間および周波数のリソース、またはＣＢ／ＣＢＧとすることができる。プリエンプションのための設定済候補時間および周波数リソース、および／または、ＣＢ／ＣＢＧは、通常、低プライオリティトラフィックのためのもの、または、低プライオリティデータ部、および／または制御部、および／または低プライオリティビット送信のためのとすべきである。プリエンプションされたリソースおよび／またはＣＢ／ＣＢＧは、ＳＬ高プライオリティトラフィック送信またはＵｕリンク高プライオリティトラフィック送信のために使用することができる。プリエンプションされたリソースは、例えば、ＨＡＲＱ再送および組み合わせのための進行中のトラフィックへの何らかの干渉または影響を回避するために、第１のＵＥ１０１、すなわち、サイドリンク送信側ＵＥ、または第２のＵＥ１０３、すなわち、受信側ＵＥに対して設定する必要がある。
【００８５】
ＳＬ制御チャネルがプリエンプションされたリソースにおいて送信されるように設定されるときは、ＳＬ制御チャネル送信のための何らかの設定を設定または事前設定すべきであり、これは、ＲＲＣシグナリングまたはＭＡＣ  ＣＥ、またはその両方で行うことができる。プリエンプションされたリソースで送信されるＳＬ制御チャネルのための設定は、ＳＬ  ＤＣＩフォーマット、アグリゲーションレベル、時間リソース設定、ＳＬデータチャネル内の時間位置、データチャネルの割り当てられた時間リソース内の時間リソース表示、周波数リソース設定、データチャネル内の周波数位置、データチャネルの割り当てられた周波数リソース内の周波数表示、プリエンプションされたリソースにおいて送信されるデータチャネルに対する第２のＵｕリンクまたは第３のＳＬにおけるＨＡＲＱフィードバックリソースのうちの１つ以上を含むことができる。ＨＡＲＱフィードバックリソースは、プリエンプションされるデータのために最初に使用されたフィードバックリソースのプリエンプションとすることもできる。
【００８６】
ＳＬデータチャネルがプリエンプションされたリソースにおいて送信されるように設定されるときは、ＳＬデータチャネル送信のための何らかの設定を設定または事前設定する必要があり、これは、ＲＲＣシグナリングまたはＭＡＣ  ＣＥ、またはその両方で行うことができる。ＳＬデータチャネルのための設定は、ＭＣＳ、ＨＡＲＱプロセス、時間および周波数構成、電力制御パラメータ、冗長バージョン、周波数ホッピングのうちの１つ以上を含むことができる。
【００８７】
通常、進行中のＳＬデータチャネル送信リソースの一部または全部は、制御チャネルリソースではなく、プリエンプションされていないデータのスケジューリング表示のために依然として有用な制御あるため、プリエンプションされる。１つの特別なケースは、ＳＬデータと制御リソースの両方がプリエンプションされることである。
【００８８】
プリエンプション情報についての報告は、送信側ＵＥによりＳＬのプリエンプションの前後に報告することができる。報告は、プリエンプションされたリソース／ＣＢ／ＣＢＧを含むことができる。図４では、送信側ＵＥは第１のＵＥ１０１である。基地局１０５は、この情報をフィードバック識別／設定のために使用することができ、他のＵＥへの潜在的な干渉を緩和する。ＳＬ制御とデータの両方をプリエンプションまたはパンクチャされたリソースにおいて送信することができます。
【００８９】
より詳細に図４を参照すると、第１のステップでは、第１のＵＥ１０１は、ＳＬ  ＤＣＩフォーマット、ＳＬ制御チャネルアグリゲーションレベル、プリエンプションすることができる時間および周波数リソース、プリエンプションすることができるＣＢ／ＣＢＧ設定、プリエンプションされたリソースにおけるデータ送信のためのフィードバックリソースのうちの１つ以上を含む、ＳＬプリエンプション設定についての上位レイヤ信号を受信する。代替的には、第１のＵＥ１０１は、プリエンプションまたはパンクチャが実施されているかどうか、および／またはプリエンプションがあるときに、プリエンプションまたはパンクチャされたＣＢ／ＣＢＧ／ＴＢリソース（図４のステップ３を参照）を報告することができる。プリエンプションされたＳＬリソースで送信されるデータに対するフィードバックリソース（例えば、ＨＡＲＱフィードバック）については、１つのオプションとして、進行中の送信（例えば、ｅＭＢＢトラフィック）のためのフィードバックリソース、例えば、進行中の送信、例えばｅＭＢＢトラフィックのために以前使用されたＨＡＲＱフィードバックリソース（例えば図４のステップ５を参照）プリエンプトすることである。プリエンプション情報はまた、基地局１０５にピギーバックされてもよい。ＨＡＲＱフィードバックのための別のオプションは、受信側ＵＥがフィードバックを送信側ＵＥに送信するために設定または予約されたＨＡＲＱフィードバックリソースを使用することである。
【００９０】
上述のように、本発明の実施形態は、設定済グラントベースのＳＬ  ＵＲＬＬＣ送信を実施することができる。本発明の実施形態によれば、設定済グラントベースのＳＬ  ＵＲＬＬＣ送信は、グラントベースのＳＬ  ＵＲＬＬＣ送信よりも低いレイテンシを有することがある。その理由は、頻繁なスケジューリング要求とグラント手順に依存しなくてもよいかである。これは、本発明の実施形態により、ＵＥ１０１が、設定されたフォーマットで割り当てられたＳＬリソース内のデータを自律的に送信することができるためである。以下、典型的にはＰＤＣＣＨであり得るが、ＰＢＣＨ、ｅＰＤＣＣＨなどでもあるＬ１シグナリングを参照する。以下の表１０に例示するように、本発明の実施形態によれば、ＳＬ設定済グラント送信のためのいくつかの異なるスキームがあり得る。
【表１０】
2022500960.tif 000012
【００９１】
本発明の実施形態によれば、ＳＬ設定済グラント送信のための第１のスキームでは、第２のリソースにおける、または第２のリンクにおける送信のために、第１のリソースにおける、または第１のリンクにおけるＲＲＣ設定済グラントまたは設定済グラントタイプ１があり得る。第１のリソースまたは第１のリンクは、Ｕｕリンクまたは第１のＳＬとすることができる。第２のリソースまたは第２のリンクは、ＳＬまたは第２のＳＬとすることができる。
【００９２】
一実施形態において、ＲＲＣシグナリングまたは別個のＲＲＣシグナリングは、ＳＬ送信リソースおよびフォーマット設定において、それぞれ送信側ＵＥ１０１および受信側ＵＥ１０３に対して設定することができる。代替的には、第１のＲＲＣシグナリングは、第２のリソースにおける、または第２のリンクにおける送信のために、第１のリソースにおいて、または第１のリンクにおいて送信することができる。代替的または追加的に、第２のＲＲＣシグナリングは、第２のリソースにおける、または第２のリンクにおける受信または監視のために、第３のリソースにおいて、または第３のリンクにおいて送信することができる。
【００９３】
例示的な実施形態が図５に示されており、基地局１０５と第１のＵＥ１０１との間のリンクおよび基地局と第２のＵＥ１０３との間のリンクに対して、それぞれ別個のＲＲＣシグナリングが設定される。第１のＲＲＣシグナリングは、ＳＬにおける第２のＵＥ１０３へのＵＥ１の設定済グラント送信のためのものとすることができる。さらに、第２のＲＲＣシグナリングは、ＳＬにおける第１のＵＥ１０１からのＵＥ２の設定済グラント受信のためのものとすることができる。
【００９４】
本発明の実施形態によれば、ＳＬ設定済グラント送信のための第２のスキームでは、第２のリソースにおける、または第２のリンクにおける設定済グラントのために、第１のリソースにおける、または第１のリンクにおけるＲＲＣ設定済グラントまたは設定済グラントタイプ１があり得る。第１のリソースまたは第１のリンクは、Ｕｕリンクまたは第１のＳＬとすることができる。第２のリソースまたは第２のリンクは、ＳＬまたは第２のＳＬとすることができる。
【００９５】
図６に例示する実施形態では、ＲＲＣシグナリングは、第１のリソースまたは第１のリンクにおいて第１のＵＥ１０１に対して設定または受信される（図６のステップ１）。ＲＲＣシグナリングは、第２のリソースまたは第２のリンクに対する設定済グラントの内容を第１のＵＥ１０１に示すことができる。第１のＵＥ１０１は、設定済グラントを第２のリソースまたは第２のリンクにおいて送信することができる（図６のステップ３）。第２のリソースにおける、または第２のリンクにおける設定済グラントは、ＲＲＣシグナリングまたはＬ１シグナリング、またはＲＲＣシグナリングおよびＬ１シグナリングの両方とすることができる。Ｌ１シグナリングは、スケジューリングアクティブ化シグナリングまたはスケジューリング解放シグナリング、またはその両方である、および／または何らかの送信設定の更新または修正を伴うことができる。第２のＵＥ  １０３は、設定済グラントを受信し、関連付けられたデータ送信を監視することができる。一実施形態では、第２のＵＥ１０３は、第２のリンクまたは第２のリソースに対する受信または監視時間および／または周波数および／またはビーム設定について別個のシグナリングを受信してもよい。このスキームの利点は、カバレッジ内と部分カバレッジ、例えば、ＵＥ２はカバレッジ外であるが、ＵＥ１はカバレッジ内であるシナリオに適用できることである。
【００９６】
本発明の実施形態によれば、ＳＬ設定済グラント送信のための第３のスキームでは、第２のリソースにおける、または第２のリンクにおける送信のために、第１のリソースにおける、または第１のリンクにおけるＰＤＣＣＨ設定済グラントまたは設定済グラントタイプ２があり得る。第１のリソースまたは第１のリンクは、Ｕｕリンクまたは第１のＳＬとすることができる。第２のリソースまたは第２のリンクは、ＳＬまたは第２のＳＬとすることができる。このスキームの動作は、上述の第１のスキームに類似しており、第１のスキームのＲＲＣシグナリングが、ＰＤＣＣＨ設定済グラントまたは設定済グラントタイプ２に置き換えられる。
【００９７】
一実施形態では、別個のＰＤＣＣＨシグナリングを、それぞれＳＬ送信リソースおよびフォーマット設定について送信側ＵＥ１０１および受信側ＵＥ１０３に対して設定することができる。代替的には、第１のＰＤＣＣＨシグナリングを、第２のリソースにおける、または第２のリンクにおける送信設定のために、第１のリソースおいて、または第１のリンクにおいて送信することができる。代替的または追加的に、第２のＰＤＣＣＨシグナリングを、第２のリソースにおける、または第２のリンクにおける受信または監視設定のために、第３のリンクにおいて、または第３のリソースにおいて、送信することができる。
【００９８】
本発明の実施形態によれば、ＳＬ設定済グラント送信のための第４のスキームでは、第２のリソースにおける、または第２のリンクにおける送信のために、第１のリソースにおける、または第１のリンクにおけるＲＲＣおよびＰＤＣＣＨ設定済グラントがあり得る。第１のリソースまたは第１のリンクは、Ｕｕリンクまたは第１のＳＬとすることができる。第２のリソースまたは第２のリンクは、ＳＬまたは第２のＳＬとすることができる。このスキームの動作は、上述の第１のスキームおよび第３のスキームに類似しており、第１のスキームのＲＲＣシグナリングが、ＲＲＣおよびＰＤＣＣＨ設定済グラントに置き換えられる。一実施形態では、別々の組み合わせＲＲＣおよびＰＤＣＣＨシグナリングを、それぞれＳＬ送信リソースおよびフォーマット設定について送信側ＵＥ１０１および受信側ＵＥ１０３に対して設定することができる。代替的には、第１のＲＲＣおよびＰＤＣＣＨシグナリングは、第２のリソースにおける、または第２のリンクにおける送信設定のために、第１のリソースおいて、または第１のリンクにおいて送信することができる。代替的にまたは追加的に、第２のＲＲＣおよびＰＤＣＣＨシグナリングを、第２のリソースにおける、または第２のリンクにおける受信または監視設定のために、第３のリソースおいて、または第３のリンクにおいて送信することができる。
【００９９】
本発明の実施形態によれば、ＳＬ設定済グラント送信のための第５のスキームでは、第２のリソースにおける、または第２のリンクにおける設定済グラントのために、第１のリソースにおける、または第１のリンクにおけるＰＤＣＣＨ設定があり得る。第１のリソースまたは第１のリンクは、Ｕｕリンクまたは第１のＳＬとすることができる。第２のリソースまたは第２のリンクは、ＳＬまたは第２のＳＬとすることができる。
【０１００】
一実施形態では、第１のＬ１シグナリング、例えば、ＰＤＣＣＨまたは設定済グラントタイプ２は、第１のリソースにおいて、または第１のリンクにおいて第１のＵＥ１０１に対して設定または受信することができる。Ｌ１シグナリングは、第２のリソースまたは第２のリンクのための設定済グラントのコンテンツの一部または全部を、第１のＵＥ１０１に示すことができる。
【０１０１】
実施形態において、第２のＬ１シグナリング、例えばＰＤＣＣＨまたは設定済グラントタイプ２は、第２のリソースにおいて、または第２のリンクにおいて第１のＵＥ１０１から送信することができる。Ｌ１シグナリングは、第２のリソースまたは第２のリンク送信のためのスケジューリングおよび／またはリソース割り当てを設定することができる。
【０１０２】
実施形態において、第１のＬ１シグナリングは、第２のＬ１シグナリングのアクティブ化および／または解放をトリガすることができる。代替的には、タイミング、すなわち、持続時間を第１のＬ１シグナリングのトリガと第２のリソースまたはリンクのアクティブ化または解放のための第２のＬ１シグナリングのトリガとの間で事前定義または設定することができる。
【０１０３】
本発明の実施形態によれば、ＳＬ設定済グラント送信のための第６のスキームでは、第２のリソースにおける、または第２のリンクにおける設定済グラントのために、第１のリソースにおける、または第１のリンクにおけるＲＲＣおよびＰＤＣＣＨ設定済グラントがあり得る。第１のリソースまたは第１のリンクは、Ｕｕリンクまたは第１のＳＬとすることができる。第２のリソースまたは第２のリンクは、ＳＬまたは第２のＳＬとすることができる。
【０１０４】
一実施形態では、第１のＲＲＣシグナリングは、第１のリソースにおいて、または第１のリンクにおいて第１のＵＥ１０１に対して設定または受信される。第１のＲＲＣシグナリングは、第２のリソースまたは第２のリンクのための設定済グラントまたはＲＲＣシグナリングのコンテンツの一部または全部を第１のＵＥ１０１に示すことができる。第２のリソースまたは第２のリンクのための設定済グラントは、ＲＲＣシグナリングもしくはＰＤＣＣＨ、またはＲＲＣシグナリングとＰＤＣＣＨの両方とすることができる。
【０１０５】
一実施形態では、第１のＵＥ１０１は、第２のリソースまたは第２のリンクのスケジューリングおよび／またはリソース割り当てのために、第２のリソースにおける、または第２のリンクにおける設定済グラントまたはＲＲＣシグナリングを送信する。一実施形態では、第１のＬ１シグナリングは、第３のリソースにおいて、または第１のリンクにおいて第１のＵＥ１０１に対して設定または受信される。第１のＬ１シグナリングは、第２のグラントまたは第２のＬ１シグナリングのための設定済グラントシグナリングとすることができる。
【０１０６】
実施形態において、第１のＵＥ１０１は、第４のリソースまたは第２のリンクのスケジューリングおよび／またはリソース割り当てのために、第４のリソースまたは第２のリンクにおいて、設定済グラント、例えば第２のＬ１シグナリングを送信する。第１のＬ１シグナリングは、第２のＬ１シグナリングのアクティブ化および／または解放をトリガすることができる。代替的には、タイミング、すなわち、持続時間を第１のＬ１シグナリングのトリガと第２のリソースまたはリンクのアクティブ化または解放のための第２のＬ１シグナリングのトリガとの間で事前定義または設定することができる。
【０１０７】
例示的な実施形態は、図７に示されている。ＳＬ設定済グラントに基づくＳＬデータ送信（図７のステップ５）の前に、以下のステップ、すなわち図７のステップ１〜４が、設定済グラントに対して実行される。
【０１０８】
ステップ１：ＳＬ  ＲＲＣシグナリング設定を示すＵｕ  ＲＲＣシグナリング送信
【０１０９】
ステップ２：いくつかのパラメータ、例えば、設定済Ｇｒａｎｔ  Ｔｙｐｅ  ２または設定済Ｌ１シグナリングもしくはＰＤＣＣＨがＳＬのために設定されるときの時間ドメインリソース周期性を示すＳＬ  ＲＲＣシグナリング送信。
【０１１０】
ステップ３：設定済Ｌ１シグナリングのアクティブ化もしくは解放または修正のための設定済Ｌ１シグナリング。
【０１１１】
ステップ４：  ＳＬデータ送信のパラメータを示すＳＬ設定済グラントＬ１シグナリング送信。
【０１１２】
発明の実施形態によれば、第１のＲＲＣシグナリングもしくは第１のＰＤＣＣＨシグナリング、または第１のＲＲＣおよび第１のＰＤＣＣＨシグナリングの両方は、以下のうちの１つ以上を示すことができる。すなわち、第２のリソースまたは第２のリンクにおける送信のための設定、および／または第２のリソースまたは第２のリンクのためのグラントの設定または内容である。
【０１１３】
発明の実施形態によれば、それぞれの信号伝達は、以下の１つ以上を含むことができる。すなわち、全ての送信のための、または単に再送信のためのＣＳ−ＲＮＴＩ、設定済グラントタイプ１の周期性、時間ドメイン割り当てのための開始シンボルおよび長さ、周波数ドメインリソース割り当て、繰り返し数、ＭＣＳおよびＴＢＳ設定、冗長バージョンまたは冗長バージョンシーケンス、グループ数、アンテナポート、シーケンスの初期化を含むＤＭＲＳ設定、ＨＡＲＱプロセス設定、プレコーディング情報およびレイヤ数、ＳＲＳ設定、第２のリソースまたは第２のリンクにおけるデータ送信の場合、第１のリソースまたは第１のリンクにおけるＨＡＲＱフィードバックリソース、第２のリソースまたは第２のリンクにおけるデータ送信の場合、第２のリソースまたは第２のリンクにおけるＨＡＲＱフィードバックリソース、ユニキャストまたはグループキャスト送信、第１のリンクまたは第１のリソースからの第２のリンクまたは第２のリソースのグラントのアクティブ化または解放、第１のリンクまたは第１のリソースの設定済グラントからの第２のリンクまたは第２のリソースの設定済グラントのアクティブ化または解放、第１のリンクまたは第１のリソースの設定済グラントからの第２のリンクまたは第２のリソースの設定済グラントのアクティブ化または解放、第１のリンクまたはリソースからの第２のリンクまたはリソースのＣＳ−ＲＮＴＩ、タイミング、例えば、第１のリソースまたは第１のリンクにおける第１のＬ１シグナリングのトリガと、第２のリソースまたはリンクのアクティブ化または解放のための第２のリソースまたは第２のリンクにおける第２のＬ１シグナリングとの間の持続時間が設定され得る。
【０１１４】
発明の実施形態によれば、第２リンクまたは第２リソースのアクティブ化または非アクティブ化は、以下のうちの１つ以上を使用することができる。つまり、ＤＭＲＳのスクランブル、ＤＣＩからのビットフィールド表示、既存ビットの特別なセッティング、および／またはＣＲＣスクランブルである。
【０１１５】
発明の実施形態によれば、第２のリソースまたは第２のリンクにおけるデータ送信の場合、第１のリソースまたは第１のリンクにおけるＨＡＲＱフィードバックリソースは、第１のリンクまたは第２のリンクにおけるＰＤＣＣＨ検索空間位置に基づくことができる。
【０１１６】
従って、上記のように、発明の実施形態は、スケジューリング要求メッセージのプライオリティ／内容が、リンク使用法（Ｕｕ／ＲＮ／ＳＬ）、ターゲットＢＬＥＲ範囲／ＭＣＳテーブル、レイテンシ範囲、ＢＳＲ範囲のうちの１つ以上を含むことができるという点で「拡張」ＳＲメッセージを提供する。リンク使用法、ターゲットＢＬＥＲ／ＭＣＳテーブル、レイテンシ、および／またはＢＳＲの範囲／値を設定／事前定義することができる（論理チャネルへのマッピングも定義ですることができる）。ターゲットＢＬＥＲの範囲は、１ｅ−３以下、１ｅ−４以下、１ｅ−５以下、１ｅ−６以下を含むことができる。可能性のあるレイテンシ範囲は、０．５ｍｓ以下、１ｍｓ以下、３ｍｓ以下を含むことができる。
【０１１７】
本発明の実施形態は、ＳＬ時間ドメインリソース割り当て、ＳＬ  ＢＷＰ、ＴＣＩ／ＱＣＬ仮定、繰り返し数、逆方向ＳＬにおけるＨＡＲＱフィードバックリソース、ＳＬ受信ノードに接続された別のＵｕリンクまたはサイドリンクにおけるＨＡＲＱフィードバックリソース、ＳＬのためのＣＢＧベースの送信であるかどうかを含む、ＳＬ制御および／またはデータのための有利なクロスリンク表示を提供する。ＳＬ  ＤＣＩフォーマット／コンテンツが、ＢＷＰ表示、開始周波数、データのためのＴＣＩ／ＱＣＬ、ＨＡＲＱタイミング、ＣＢＧＴＩ／ＣＢＧＦＩを含むかどうか、および／またはコンパクトＤＣＩが使用されるかどうかに影響を与えることができる。
【０１１８】
発明の実施形態は、Ｕｕリンクにおける有利なＳＬプリエンプション報告を提供する。シグナリングは、ＳＬか、Ｕｕ／Ｕｎリンクにプリエンプションを使用できるかどうかを示すことができる。Ｕｕリンクは、ＳＬプリエンプション制御アグリゲーション、データＭＣＳを事前設定することができる。ＳＬプリエンプション報告は、Ｕｕリンクにおいて発生することができる。
【０１１９】
発明の実施形態は、設定されたＳＬグラントの有利なクロスリンク設定を提供する。設定済ＳＬグラントタイプ１のクロスリンクＲＲＣ設定が可能である。クロスリンクＲＲＣ設定と設定済ＳＬグラントタイプ２のＬ１アクティブ化／非アクティブ化が可能である。ＳＬ受信ノードに接続されている別のＵｕリンクまたはサイドリンクにおいてＨＡＲＱフィードバックリソースが可能である。
【０１２０】
従って、上述のように、発明の実施形態は、第１の送信設定および／または第２の送信設定を第２の通信デバイスにシグナリングする第１の通信デバイスに向けられる。第１の送信設定は、第２の送信設定を示すことができる。第２の送信設定は、送信設定および／または受信設定とすることができる。設定は、ＳＲ設定、時間ドメインリソース設定、ＢＷＰ設定、繰り返し設定、ＱＣＬ設定、ＨＡＲＱ設定、プリエンプション設定、グラント設定、アクティブ化設定、および／または解放設定のうちの１つ以上を含むことができる。第１の送信設定は、第１のリンクおよび／または第１のリソース設定とすることができ、第２の送信設定は、第２のリンクおよび／または第２のリソース設定とすることができる。第１のリンクはＵｕリンクとすることができるし、第２のリンクはＳＬとすることができるし、または第１と第２のリンクの両方ともサイドリンクである。
【０１２１】
本発明の実施形態によれば、設定は、Ｕｕおよび／またはＳＬのための設定を含むことができる。設定は、リンク使用法、ターゲットＢＬＥＲ／ＭＣＳテーブルの範囲／値、レイテンシ／ＴＴＩ／ＳＣＳ範囲または値、信頼性範囲または値、可用性範囲または値、および／またはバッファステータス範囲または値のうちの１つ以上を含むことができる。
【０１２２】
本発明の実施形態によれば、設定は、ＳＲまたはプライオリティ設定とすることができる。第１のデバイスは、データおよび／または制御の送信および／または受信のための第２の送信設定を第２のデバイスにシグナルすることができる。制御および／またはデータ表示は、時間ドメインリソース、ＳＬ  ＢＷＰ、ＳＬリソースプール、ＴＣＩ／ＱＣＬ仮定、逆方向のＳＬのＨＡＲＱフィードバックリソース、および／またはＳＬのためのＣＢＧベースの送信が有効であるかどうかの１つ以上を含めることができる。第３のデバイスのためのフィードバック送信設定について、ＨＡＲＱ／ＣＳＩフィードバックリソース送信は、第１のデバイスへもの、またはＵｕリンクにおける、または第１のＳＬにおけるものとすることができる。代替的には、ＨＡＲＱ／ＣＳＩフィードバックリソース送信は、第２のデバイスへのもの、またはＳＬにおける、または第２のＳＬにおけるものとすることができる。
【０１２３】
本発明の実施形態によれば、第１のデバイスのシグナリングは、第２のデバイスまたは第２のリンク／リソースの送信のためにプリエンプションを使用することができるかどうか、第２のデバイスから第３のデバイスへの送信のためにプリエンプションを使用することができるかどうか、第２のデバイスから第１のデバイスへの送信のためにプリエンプションを使用することができるかどうかのうちの１つ以上を示すことができる。第１のデバイスシグナリングは、プリエンプションされた送信またはプリエンプションされたＳＬ制御アグリゲーションおよび／またはデータＭＣＳを第２のデバイスに事前設定することができる。
【０１２４】
本発明の実施形態によれば、第１のデバイスのシグナリングは、以下のうちの１つ以上を示すことができる。すなわち、第２のデバイスの送信および／または第３のデバイスの受信のための設定済グラントタイプ１、第２のシグナリングのためのアクティブ化および／または解放のトリガ、第１のシグナリングトリガと第２のリソースまたはリンクのアクティブ化または解放のための第２のシグナリングとの間のタイミング、第２のデバイスの送信および／または第３のデバイスの受信のための設定済グラントタイプ２のアクティブ化／非アクティブ化、第３のデバイスから第１のデバイスおよび／または第２のデバイスへの送信のためのＨＡＲＱおよび／またはＣＳＩのフィードバックリソースのうちの１つ以上を示すことができる。
【０１２５】
本開示の特定の特徴または態様は、いくつかの実施態様のうちの１つに関してのみ開示されていてもよいが、そのような特徴または態様は、任意の与えられたか、または特定の適用に望ましく、有利となり得るような他の実施態様の１つ以上の他の特徴または態様と組み合わせてもよい。さらに、用語「含む」、「有する」、「備える」、またはそれらの他の変形が、詳細な説明または特許請求の範囲のいずれかで使用される場合、そのような用語は、「含む」という用語と同様の方式で包括的であることが意図されている。また、用語「例示的」、「例えば」、および「例えば」は、最良または最適ではなく、単に例としてということが意味されている。用語「結合された」および「接続された」は、それらの派生語と共に使用されてもよい。これらの用語は、それらが直接的な物理的または電気的接触にあるか、またはそれらが互いに直接的に接触していないかにかかわらず、２つの要素が互いに協働または相互作用することを示すために使用されてもよいと理解されたい。
【０１２６】
本明細書では、特定の態様が図示され説明されてきたが、当業者であれば、本開示の範囲から逸脱することなく、様々な代替および／または同等の実施態様を、図示され説明された特定の態様に置き換えることができることが理解されるであろう。この出願は、本明細書中で議論される特定の態様の任意の適合または変形をカバーすることを意図している。
【０１２７】
以下の特許請求の範囲の要素は、対応するラベル付けを伴う特定のシーケンスにおいて定義されているが、特許請求の範囲の定義が、それらの要素のいくつかまたは全てを実施するための特定のシーケンスを別段に示唆しない限り、これらの要素は、必ずしもその特定のシーケンスで実施されることに限定されることは意図されていない。
【０１２８】
多くの代替、修正、および変形が、上記の教示に照らして当業者に明らかであろう。もちろん、当業者は、本明細書で説明されたもの以外にも本発明の多くの用途があると認識する。本発明を１つ以上の特定の実施形態を参照して説明したが、当業者は、本発明の範囲から逸脱することなく、多くの変更をこれに行ってもよいとを認識する。従って、添付の特許請求の範囲およびそれらの均等物の範囲内で、本発明は、本明細書に具体的に説明されているようなものではなく実施することができると理解されるべきである。
【図１】
2022500960.tif 000013
【図２】
2022500960.tif 000014
【図３】
2022500960.tif 000015
【図４】
2022500960.tif 000016
【図５】
2022500960.tif 000017
【図６】
2022500960.tif 000018
【図７】
2022500960.tif 000019
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
ユーザ機器であって、
第１の通信リソースを使用して基地局から設定情報を受信することであって、前記設定情報は、
（ａ）前記基地局であって、前記設定情報が、スケジューリング要求(ＳＲ)、および／またはプライオリティ設定を含む、前記基地局、および／または
（ｂ）さらなるユーザ機器であって、前記設定情報が、時間ドメインリソース設定、帯域幅部分(ＢＷＰ)設定、リソースプール設定、繰り返し設定、準同一位置(ＱＣＬ)設定、ハイブリッドＡＲＱ（ＨＡＲＱ）設定、プリエンプション設定、グラント設定、アクティブ化設定、解放設定のうちの少なくとも１つを含む、さらなるユーザ機器、
と通信するために第２の通信リソースを使用した前記ユーザ機器の通信設定を定義する、受信することを行うように構成されているユーザ機器。
【請求項２】
前記基地局から受信した前記通信設定は、リンク使用法、ターゲットブロック誤り率（ＢＬＥＲ）および／または変調符号化スキーム（ＭＣＳ）テーブルの範囲／値、レイテンシおよび／または送信時間間隔（ＴＴＩ）および／またはサブキャリア間隔（ＳＣＳ）の範囲または値、信頼性範囲または値、可用性範囲または値、バッファステータス範囲または値のうちの１つ以上を含む通信パラメータのセッティングを含む、請求項１に記載のユーザ機器。
【請求項３】
前記ユーザ機器は、前記ＳＲおよび／または前記基地局から受信したプライオリティ設定情報に基づいて、ＳＲメッセージを前記基地局に送信するように構成されている、請求項１または２に記載のユーザ機器。
【請求項４】
前記ユーザ機器は、特に、ビットシーケンスとして、および／または前記ＳＲメッセージを基地局に送信するための複数の第３の通信リソースのうちの１つ以上の第３の通信リソースを使用して、前記ＳＲメッセージ内の前記通信パラメータを符号化するように構成されている、請求項２または３に記載のユーザ機器。
【請求項５】
前記ユーザ機器は、前記基地局から、符号化スキームおよび／または前記通信パラメータと前記ビットシーケンスおよび／または前記第３の通信リソースとの間の対応関係を受信することと、前記基地局によって提供される前記符号化スキームおよび／または前記対応関係に基づいて、前記ＳＲメッセージ内の前記通信パラメータを符号化することと、を行うように構成されている、請求項１〜４のうちの一項に記載のユーザ機器。
【請求項６】
前記設定情報は、前記さらなるユーザ機器と通信するために前記第２の通信リソースを使用した前記ユーザ機器の前記通信設定を定義し、前記設定情報は、時間ドメインリソース設定、サイドリンクＳＬ  ＢＷＰ、リソースプール、送信設定表示（ＴＣＩ）／ＱＣＬ仮定、繰り返し数、Ｕｕリンクおよび／または別のサイドリンクおよび／または逆方向のサイドリンクにおけるＳＬデータのためのＨＡＲＱフィードバックリソースおよび／またはＳＬチャネルのためのチャネル状態情報（ＣＳＩ）フィードバックリソース、および／またはＳＬにおけるコードブロック（ＣＢ）および／またはコードブロックグループ（ＣＢＧ）設定のうちの１つ以上を含む、請求項１〜５のいずれか一項に記載のユーザ機器。
【請求項７】
前記ユーザ機器は、第４の通信リソースを使用して前記さらなるユーザ機器と通信するように構成されており、前記ユーザ機器は、前記プリエンプション設定に基づいて前記第４の通信リソースをプリエンプションすること、および／または前記さらなるユーザ機器と通信するために前記第２の通信リソースを使用することと、を行うように構成されている、請求項１〜６のいずれか一項に記載のユーザ機器。
【請求項８】
前記プリエンプション設定は、ＳＬプリエンプションが有効か無効かに関する情報、プリエンプションされたＳＬリソースのうちの１つ以上、プリエンプションのための１つ以上のＳＬリソース、前記プリエンプションされたリソースにおけるＳＬ制御および／またはデータ設定、ＳＬプリエンプション要求設定、および／またはＳＬプリエンプション報告設定のうちの１つ以上を含む、請求項７に記載のユーザ機器。
【請求項９】
前記ユーザ機器によって受信される前記通信設定は、
前記第２の通信リソースにおいて、および／または前記第２のＳＬにおいて送信される第２の設定済グラントの前記設定のために、第１のリソースにおいて、または第１のＳＬにおいて、および／または第１のＵｕリンクにおいて送信される設定済グラント、
前記第２の通信リソースにおいて、および／または前記第２のＳＬにおいて送信される第２の設定済無線リソース制御（ＲＲＣ）グラントおよび／または第２の設定済物理下りリンク制御チャネル（ＰＤＣＣＨ）グラントの前記設定のために、第１のリソースにおいて、および／または第１のＵｕリンクにおいて送信される設定済ＲＲＣグラント、
第１のグラントおよび／または第１の設定済グラントを伴う前記第２の設定済グラントのアクティブ化および／または解放、
前記第１の通信リソースにおいて、および／または前記Ｕｕリンクにおいて、および／または前記第１のＳＬにおいて送信される前記第１のグラントと、前記第２のグラントのアクティブ化または解放のための前記第２のリソースにおいて、および／または前記第２のＳＬにおいて送信される前記第２のグラントとの間のタイミング、
前記第２の通信リソースおよび／または前記第２のＳＬ送信および／または受信のために、前記第１の通信リソースにおいて、および／またはＵｕリンクにおいて、および／または前記第１のＳＬにおいて送信される前記第１のグラントに基づいた設定済ＰＤＣＣＨグラントのアクティブ化および／または解放、
前記第２のＳＬにおける設定済グラントのスケジューリングデータ送信に対して、別のＵｕリンクおよび／または前記第３のＳＬにおける、および／または前記逆方向のＳＬにおけるＨＡＲＱフィードバックリソース、
のうちの１つ以上を含む、請求項１〜８のいずれか一項に記載のユーザ機器。
【請求項１０】
基地局であって、
第１の通信リソースを使用してユーザ機器に設定情報を送信することであって、前記設定情報は、
（ａ）前記基地局であって、前記設定情報が、スケジューリング要求（ＳＲ）、および／またはプライオリティ設定を含む、前記基地局、および／または
（ｂ）さらなるユーザ機器であって、前記設定情報が、時間ドメインリソース設定、帯域幅（ＢＷＰ）設定、リソースプール設定、繰り返し設定、準同一位置（ＱＣＬ）設定、ハイブリッドＡＲＱ（ＨＡＲＱ）設定、プリエンプション設定、グラント設定、アクティブ化設定、解放設定のうちの少なくとも１つを含む、さらなるユーザ機器、
と通信するために、第２の通信リソースを使用した前記ユーザ機器の通信設定を定義する、送信することを行うように構成されている基地局。
【請求項１１】
前記ユーザ機器に送信した前記通信設定は、リンク使用法、ターゲットブロック誤り率（ＢＬＥＲ）および／または変調符号化スキーム（ＭＣＳ）テーブルの範囲および／または値、レイテンシおよび／または送信時間間隔（ＴＴＩ）および／またはサブキャリア間隔（ＳＣＳ）範囲または値、信頼性範囲または値、可用性範囲または値、バッファステータス範囲または値のうちの１つ以上を含む通信パラメータのセッティングを含む、請求項１０に記載の基地局。
【請求項１２】
前記基地局は、前記ＳＲおよび／または前記ユーザ機器に送信したプライオリティ設定情報に基づいて、ＳＲメッセージを前記ユーザ機器から受信するように構成されている、請求項１０または１１に記載の基地局。
【請求項１３】
前記基地局は、特に、前記ＳＲメッセージ内に含まれるビットシーケンス、および／または前記ユーザ機器からの前記ＳＲメッセージを受信するために使用される複数の第３の通信リソースのうちの１つ以上の第３の通信リソースに基づいて、前記ＳＲメッセージ内の前記通信パラメータを復号するように構成されている、請求項１０〜１２のいずれか一項に記載の基地局。
【請求項１４】
前記基地局は、前記ユーザ機器に、符号化スキームおよび／または前記通信パラメータと前記ビットシーケンスおよび／または前記第３の通信リソースとの間の対応関係を提供して、前記ユーザ機器が前記符号化スキームおよび／または前記対応関係に基づいて、前記ＳＲメッセージ内の前記通信パラメータを符号化することを可能にするように構成されている、請求項１３に記載の基地局。
【請求項１５】
前記設定情報は、前記さらなるユーザ機器と通信するために前記第２の通信リソースを使用した前記ユーザ機器の前記通信設定を定義し、前記設定情報は、時間ドメインリソース設定、サイドリンク（ＳＬ）  ＢＷＰ、リソースプール、送信設定表示（ＴＣＩ）／ＱＣＬ仮定、繰り返し数、Ｕｕリンクおよび／または別のサイドリンクおよび／または逆方向のサイドリンクにおけるＳＬデータのためのＨＡＲＱフィードバックリソースおよび／またはＳＬチャネルのためのチャネル状態情報（ＣＳＩ）フィードバックリソース、および／またはＳＬにおけるコードブロック（ＣＢ）および／またはコードブロックグループ（ＣＢＧ）設定のうちの１つ以上を含む、請求項１０〜１４のいずれか一項に記載の基地局。
【請求項１６】
前記基地局によって送信される前記通信設定は、
前記第２の通信リソースにおいて、および／または前記第２のＳＬにおいて送信される第２の設定済グラントの前記設定のために、第１のリソースにおいて、および／または第１のＳＬにおいて送信される設定済グラント、
前記第２の通信リソースにおいて、および／または前記第２のＳＬにおいて送信される第２の設定済無線リソース制御（ＲＲＣ）グラントおよび／または第２の設定済物理下りリンク制御チャネル（ＰＤＣＣＨ）グラントの前記設定のために、第１のＳＬにおいて送信される設定済ＲＲＣグラント、
第１のグラントおよび／または第１の設定済グラントを伴う前記第２の設定済グラントのアクティブ化および／または解放、
前記第１の通信リソースにおいて、および／または前記Ｕｕリンクにおいて、および／または前記第１のＳＬにおいて送信される前記第１のグラントと、前記第２のグラントのアクティブ化および／または解放のための前記第２のリソースにおいて、および／または前記第２のＳＬにおいて送信される前記第２のグラントとの間のタイミング、
前記第２の通信リソースおよび／または前記第２のＳＬ送信および／または受信のために、前記第１の通信リソースにおいて、および／またはＵｕリンクにおいて、および／または前記第１のＳＬにおいて送信される前記第１のグラントに基づいた設定済ＰＤＣＣＨグラントのアクティブ化および／または解放、
前記第２のＳＬにおける設定済グラントのスケジューリングデータ送信に対して、別のＵｕリンクおよび／または前記第３のＳＬにおける、および／または前記逆方向のＳＬにおけるＨＡＲＱフィードバックリソース、
のうちの１つ以上を含む、請求項１０〜１５のいずれか一項に記載の基地局。
【請求項１７】
プロセッサと、
前記プロセッサに結合されたメモリと、を含み、
前記プロセッサは、
第１の通信リソースを使用して基地局から設定情報を受信することであって、前記設定情報は、
（ａ）前記基地局であって、前記設定情報が、スケジューリング要求(ＳＲ)、および／またはプライオリティ設定を含む、前記基地局、および／または
（ｂ）さらなるユーザ機器であって、前記設定情報が、時間ドメインリソース設定、帯域幅部分(ＢＷＰ)設定、リソースプール設定、繰り返し設定、準同一位置(ＱＣＬ)設定、ハイブリッドＡＲＱ（ＨＡＲＱ）設定、プリエンプション設定、グラント設定、アクティブ化設定、解放設定のうちの少なくとも１つを含む、さらなるユーザ機器、
と通信するために第２の通信リソースを使用したユーザ機器の通信設定を定義する、受信することを行うように構成されている、装置。
【請求項１８】
プロセッサと、
前記プロセッサに結合されたメモリと、を含み、
前記プロセッサは、
第１の通信リソースを使用してユーザ機器に設定情報を送信することであって、前記設定情報は、
（ａ）基地局であって、前記設定情報が、スケジューリング要求（ＳＲ）、および／またはプライオリティ設定を含む、前記基地局、および／または
（ｂ）さらなるユーザ機器であって、前記設定情報が、時間ドメインリソース設定、帯域幅（ＢＷＰ）設定、リソースプール設定、繰り返し設定、準同一位置（ＱＣＬ）設定、ハイブリッドＡＲＱ（ＨＡＲＱ）設定、プリエンプション設定、グラント設定、アクティブ化設定、解放設定のうちの少なくとも１つを含む、さらなるユーザ機器、
と通信するために、第２の通信リソースを使用した前記ユーザ機器の通信設定を定義する、送信することを行うように構成されている、装置。
【請求項１９】
命令を含むプログラムであって、前記命令は、プロセッサに、
第１の通信リソースを使用して基地局から設定情報を受信することであって、前記設定情報は、
（ａ）前記基地局であって、前記設定情報が、スケジューリング要求(ＳＲ)、および／またはプライオリティ設定を含む、前記基地局、および／または
（ｂ）さらなるユーザ機器であって、前記設定情報が、時間ドメインリソース設定、帯域幅部分(ＢＷＰ)設定、リソースプール設定、繰り返し設定、準同一位置(ＱＣＬ)設定、ハイブリッドＡＲＱ（ＨＡＲＱ）設定、プリエンプション設定、グラント設定、アクティブ化設定、解放設定のうちの少なくとも１つを含む、さらなるユーザ機器、
と通信するために第２の通信リソースを使用したユーザ機器の通信設定を定義する、受信することを行わせる、プログラム。
【請求項２０】
命令を含むプログラムであって、前記命令は、プロセッサに、
第１の通信リソースを使用してユーザ機器に設定情報を送信することであって、前記設定情報は、
（ａ）基地局であって、前記設定情報が、スケジューリング要求（ＳＲ）、および／またはプライオリティ設定を含む、前記基地局、および／または
（ｂ）さらなるユーザ機器であって、前記設定情報が、時間ドメインリソース設定、帯域幅（ＢＷＰ）設定、リソースプール設定、繰り返し設定、準同一位置（ＱＣＬ）設定、ハイブリッドＡＲＱ（ＨＡＲＱ）設定、プリエンプション設定、グラント設定、アクティブ化設定、解放設定のうちの少なくとも１つを含む、さらなるユーザ機器、
と通信するために、第２の通信リソースを使用した前記ユーザ機器の通信設定を定義する、送信することを行わせる、プログラム。
【国際調査報告】
2022500960.tif 000020
2022500960.tif 000021
2022500960.tif 000022